(57)【要約】【課題】輝度のムラによる表示品位の低下を改善する。【解決手段】光学素子を備え複数の表示領域から構成された表示画面を有する表示装置４１００において、表示領域ごとに、表示内容の同一性を維持しながら、表示画像を変更する映像変更部４５８を含む。映像変更部４５８は、前回の変更を起点として光学素子の劣化の推定量が所定値に達したとき再度表示画像を変更する。また、映像変更部４５８は、隣接する画素どうしの輝度の差を積算した値の絶対値が所定値を超えたとき表示画像を変更する。また、映像変更部４５８は、偶数と奇数の行または列の光学素子の劣化の推定量の差が所定値を超えたとき表示画像を変更する。【選択図】図２６
2008197675.tif 000002
【特許請求の範囲】
【請求項１】
光学素子を備え複数の表示領域から構成された表示画面を有する表示装置において、
前記表示領域ごとに、表示内容の同一性を維持しながら、表示画像を変更する表示変更部を含み、
前記表示変更部は、前回の変更を起点として前記光学素子の劣化の推定量が所定値に達したとき再度表示画像を変更することを特徴とする表示装置。
【請求項２】
光学素子を備え複数の表示領域から構成された表示画面を有する表示装置において、
前記表示領域ごとに、表示内容の同一性を維持しながら、表示画像を変更する表示変更部を含み、
前記表示変更部は、隣接する画素どうしの輝度の差を積算した値の絶対値が所定値を超えたとき前記表示画像を変更することを特徴とする表示装置。
【請求項３】
光学素子を備え複数の表示領域から構成された表示画面を有する表示装置において、
前記表示領域ごとに、表示内容の同一性を維持しながら、表示画像を変更する表示変更部を含み、
前記表示変更部は、偶数と奇数の行または列の光学素子の劣化の推定量の差が所定値を超えたとき前記表示画像を変更することを特徴とする表示装置。
【請求項４】
光学素子を備え複数の表示領域から構成された表示画面を有する表示装置において、
前記表示領域ごとに、表示内容の同一性を維持しながら、表示画像を変更する表示変更部を含み、
前記表示変更部は、前記表示装置の電源がオンまたはオフされたとき、その処理の過程において表示画像を変更することを特徴とする表示装置。
【請求項５】
光学素子を備え複数の表示領域から構成された表示画面を有する表示装置において、
前記表示領域ごとに、表示内容の同一性を維持しながら、表示画像を変更する表示変更部を含み、
前記表示変更部は、前記表示装置に表示されるアプリケーションが切り替わるとき、その切替えの過程において前記表示画像を変更することを特徴とする表示装置。
【請求項６】
光学素子を備え複数の表示領域から構成された表示画面を有する表示装置において、
前記表示領域ごとに、表示内容の同一性を維持しながら、表示画像を変更する表示変更部を含み、
当該表示装置の表示画面は開閉式であって、
その表示画面の開閉を検知する開閉検知部をさらに含み、
前記表示変更部は、前記開閉検知部にて表示画面の開閉が検知された場合、表示画面を変更することを特徴とする表示装置。
【請求項７】
光学素子を備え複数の表示領域から構成された表示画面を有する表示装置において、
前記表示領域ごとに、表示内容の同一性を維持しながら、表示画像を変更する表示変更部を含み、
当該表示装置を操作する操作部がスライド式であって、
その操作部のスライドを検知するスライド検知部をさらに含み、
前記表示変更部は、前記スライド検知部にて操作部のスライドが検知された場合、前記表示画面を変更することを特徴とする表示装置。
【請求項８】
光学素子を備え複数の表示領域から構成された表示画面を有する表示装置において、
前記表示領域ごとに、表示内容の同一性を維持しながら、表示画像を変更する表示変更部を含み、
前記表示変更部は、前記表示画像の呈示位置をシフトすることにより表示画像を変更し、シフトされる表示画像が文字列を含んで構成される場合、本来文字同士が接触した形で表示されることを避けるために設けられている余白領域を前記文字列に含まれる任意の文字のシフト可能範囲とすることを特徴とする表示装置。
【請求項９】
光学素子を備え複数の表示領域から構成された表示画面を有する表示装置において、
前記表示領域ごとに、表示内容の同一性を維持しながら、表示画像を変更する表示変更部を含み、
前記表示変更部は、前記表示画像の呈示位置をシフトすることにより表示画像を変更し、シフトされる表示画像が文字列を含んで構成される場合、ユーザがその文字列を見る際に前記表示画像を可読性に影響の少ない方向にシフトすることを特徴とする表示装置。
【請求項１０】
光学素子を備え複数の表示領域から構成された表示画面を有する表示装置において、
前記表示領域ごとに、表示内容の同一性を維持しながら、表示画像を変更する表示変更部を含み、
前記表示変更部は、所定期間ユーザから入力がない場合、前記表示画像をスクロールすることを特徴とする表示装置。
【請求項１１】
光学素子を備え複数の表示領域から構成された表示画面を有する表示装置において、
前記表示領域ごとに、表示内容の同一性を維持しながら、表示画像を変更する表示変更部を含み、
前記表示変更部は、所定期間ユーザから入力がない場合、前記表示画像をモザイク処理して表示することを特徴とする表示装置。
【発明の詳細な説明】
【技術分野】
【０００１】
本発明は表示方法および表示装置に関し、特に、アクティブマトリクス型有機エレクトロルミネッセンス表示装置における個々の光学素子の劣化を平滑化して、輝度のばらつきを低減する技術に関する。
【背景技術】
【０００２】
有機エレクトロルミネッセンス表示装置（以下、「有機ＥＬ表示装置」または「有機ＥＬパネル」ともいう）が、新たな平面型表示装置として注目されている。とくに、薄膜トランジスタ（Thin Film Transistor：以下、「ＴＦＴ」ともいう）をスイッチング素子として備えるアクティブマトリクス型有機ＥＬ表示装置は、現在広く普及している液晶表示装置にとって代わる次世代表示装置の最有力候補であり、実用化に向けて熾烈な開発競争の最中にある。
【０００３】
有機ＥＬ素子は液晶表示素子と異なり、素子自身が発光するため、液晶表示装置では必須の構成であったバックライトが不要となり、装置のさらなる薄型化、軽量化が期待できる。また、自発光することを利用して、液晶表示装置のバックライトなど、発光装置としての利用も期待されている。
【発明の開示】
【発明が解決しようとする課題】
【０００４】
有機ＥＬ素子は、発光にともなって劣化が進み、徐々に発光輝度が低下することが知られている。表示品質が高く、寿命の長い有機ＥＬパネルを提供するためには、劣化しにくい有機発光材料の開発が重要であるのはもちろんだが、現段階では、有機ＥＬ素子に経時劣化が生じるのは不可避であると受け止め、その影響を最小限に抑える技術の開発が先決である。
【課題を解決するための手段】
【０００５】
本発明は、そうした課題に鑑みてなされたものであり、その目的は、表示装置の表示品質を改善する技術の提供にある。
【０００６】
本発明のある態様は表示方法に関する。この表示方法は、表示可能領域よりも狭い表示領域に画像を表示するとき、表示可能領域のうち、画像を表示しない非表示領域の輝度データを、画像の平均輝度の推測値に設定する。「表示可能領域」は、表示装置における画面全体を指し、「表示領域」は、表示可能領域のうち、表示対象となる画像が実際に表示される領域を指す。「非表示領域」とは、表示可能領域のうち表示領域以外の領域を指す。「非表示」は、表示対象となる画像が表示されないことを意味しており、何も表示されないことを意味しているわけではない。表示領域に表示される画像の平均輝度と、非表示領域に表示する平均輝度とが略同一になるようにすることで、各画素を構成する表示素子の劣化速度を画面全体で平滑化し、劣化速度のばらつきに起因する表示輝度のばらつきを低減することができる。
【０００７】
本発明の別の態様は、表示装置に関する。この表示装置は、表示すべき第１画像を取得する取得部と、取得した第１画像を表示する第１領域を設定し、その第１領域に第１画像を配置する第１設定部と、第１領域が、表示可能領域よりも狭いときに、第１画像を表示しない第２領域に表示すべき第２画像を設定する第２設定部と、を備え、第２設定部は、第１画像の平均輝度の推測値と、第２画像の平均輝度とが略同一になるように、第２画像を設定する。一般的な画像の平均輝度を予め推測し、その平均輝度と第２画像の平均輝度とが略同一になるようにしてもよい。一般的な画像の平均輝度として、たとえば、最大輝度の２０％以上４０％以下、より好ましくは３０％以上３５％以下の輝度を採用してもよい。
【０００８】
第２設定部は、第１画像の平均輝度を算出し、その平均輝度と略同一の平均輝度を有する第２画像を第２領域に設定してもよい。第１画像を表示するたびに、その第１画像の平均輝度に合わせて第２画像を選択することで、より高い精度で表示素子の劣化速度を平滑化することができる。
【０００９】
本発明のさらに別の態様も、表示装置に関する。この表示装置は、表示すべき第１画像を取得する取得部と、取得した第１画像を表示する第１領域を設定し、その第１領域に第１画像を配置する第１設定部と、第１領域が、表示可能領域よりも狭いときに、第１画像を表示しない第２領域に表示すべき第２画像を設定する第２設定部と、過去に第１領域に表示された第１画像の累積平均輝度を保持する第１保持部と、過去に第２領域に表示された第２画像の累積平均輝度を保持する第２保持部と、を備え、第２設定部は、第２画像の累積平均輝度が第１画像の累積平均輝度に近づくように、第２画像を設定する。個々の第１画像の平均輝度と第２画像の平均輝度とが多少異なっていたとしても、それがすぐに表示輝度のばらつきにつながるわけではなく、長期的にみてそれらの平均輝度が略同一になるようにすればよい。そのため、第１画像と第２画像の累積平均輝度を保持しておき、それらが長期的にはほぼ等しい状態となるように調整することで、表示輝度のばらつきを改善することができる。この方法によれば、たとえば、第１画像の色彩やテーマに合わせて第２画像を選択するなど、表示の自由度が広がる。
【００１０】
第２画像は、全画素が略同一の輝度データを有する画像であってもよい。すなわち、第２画像は、１色のみで構成された画像であってもよい。本明細書では、１色のみで構成されている場合であっても、「画像」という語を用いる。
【００１１】
なお、以上の構成要素の任意の組合せ、本発明の表現を方法、装置、システム、などの間で変換したものもまた、本発明の態様として有効である。
【発明の効果】
【００１２】
本発明によれば、簡易な構成で焼き付きの問題を低減することができる。
【発明を実施するための最良の形態】
【００１３】
［第１の実施の形態］
（第１の実施の形態の具体例）
（具体例１）
本実施の形態では、表示装置の各画素を構成する表示素子の劣化速度を画面全体で平滑化し、劣化速度のばらつきに起因する表示輝度のばらつきを低減するために、画像を表示する際に、その画像が表示されない領域を、一般的な画像の輝度平均と推測される、白３０％程度の色で表示する。
【００１４】
図１は、実施の形態に係る表示装置の一例としての携帯端末１０の内部構成を示す。携帯端末１０は、主に、通信ユニット２０、制御ユニット３０、記憶ユニット４０、表示ユニット１００、入力ユニット５０、マイク６０、およびスピーカ７０を備える。通信ユニット２０は、信号を送受信するアンテナ２２と、受信した信号を復号する受信ユニット２４と、データを変調して送信する送信ユニット２６とを含み、携帯電話通信網を介した他装置との通信を制御する。表示ユニット１００は、テキスト情報や画像情報などを表示する。本実施の形態では、表示ユニット１００として、有機ＥＬパネルを利用する。表示ユニット１００は、無機ＥＬパネル、液晶パネルなどであってもよいが、本実施の形態の技術は、表示素子の劣化が問題となる有機ＥＬパネルに、特に好適である。入力ユニット５０は、キーボード、マウス、各種ボタンなどにより外部からの入力情報を受け付ける。マイク６０は、外部から音声情報を入力する。スピーカ７０は、音声情報を外部へ出力する。
【００１５】
制御ユニット３０は、携帯端末１０全体を統括的に制御するとともに、表示に必要な各種処理を行う。この構成は、ハードウエア的には、任意のコンピュータのＣＰＵ、メモリ、その他のＬＳＩで実現でき、ソフトウエア的にはメモリにロードされた表示制御機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１６】
画像取得部３２は、通信ユニット２０を介して外部から、または、記憶ユニット４０に格納されていた画像を読み出すことにより、表示すべき画像を取得する。表示領域設定部３４は、取得した画像のサイズを考慮して、表示ユニット１００の表示可能な領域の中に、その画像を表示する領域を設定する。非表示領域設定部３６は、表示可能な領域のうち表示領域以外の領域、すなわち、取得した画像を表示しない非表示領域に表示すべき画像を設定する。表示制御部３８は、画像取得部３２にて取得された画像を、表示領域設定部３４により設定された領域に配置し、周囲の非表示領域に非表示領域設定部３６により設定された画像を設定して表示画面の画像データを生成し、グラフィックスメモリ４２に書き込む。そして、所定の表示タイミングにて、画像データと駆動信号を表示ユニット１００の各画素に出力する。
【００１７】
図２は、表示ユニット１００の表示可能領域１０２の中央に表示領域１０４が設定され、画像が表示された様子を示す。図２に示した例では、画像サイズが表示可能領域１０２よりも小さいため、表示可能領域１０２の中央に表示領域１０４を設定して画像を表示し、その周囲を非表示領域１０６としている。このとき、非表示領域１０６は、消費電力の低減、および各画素を構成する有機ＥＬ素子の劣化の軽減という観点からすると、輝度がゼロの状態、すなわち消灯しておくことが望ましい。しかしながら、表示領域１０４に画像が長時間表示されると、表示領域１０４の画素は、非表示領域１０６の画素に比較して、点灯している時間が長くなるため、表示領域１０４内の有機ＥＬ素子の方が早く劣化が進み、輝度が低下する。その結果、画面全体を同じ輝度データで表示しても、画面中央付近の有機ＥＬ素子の発光輝度が、画面端付近の有機ＥＬ素子の発光輝度よりも低くなり、画面中央付近が暗く表示されてしまう。とくに、同じサイズの画像を頻繁に表示する場合は、同一の表示領域１０４に長時間画像が表示され続ける結果、その表示領域１０４内の画素が周囲の画素よりも早く劣化して輝度が低下し、画面全体に表示を行ったときに表示領域１０４の矩形が視認される、いわゆる「焼き付き」現象が起こる。
【００１８】
本実施の形態では、このような現象の発生を軽減するために、非表示領域１０６内の有機ＥＬ素子も、表示領域１０４内の有機ＥＬ素子と同程度に劣化させるべく、非表示領域設定部３６は、一般的な画像の平均輝度レベルと推測される白３０％から３５％程度の色を非表示領域１０６に表示する。これにより、画面全体の有機ＥＬ素子の劣化速度を平滑化し、輝度のばらつきや焼き付き現象の発生を軽減することができる。輝度のばらつきや焼き付きを軽減することで、表示ユニット１００の寿命の改善にも寄与する。
【００１９】
図３は、非表示領域１０６に一般的な画像の平均輝度を有する画像を設定した様子を示す。この例では、非表示領域１０６に、白３０％程度の１色のみで構成された画像を表示しているが、平均輝度が白３０％程度であれば、任意の色彩および模様を有する画像であってもよい。模様を有する画像を非表示領域１０６に表示する場合は、その画像が非表示領域１０６に焼き付くことを防止するために、白３０％程度の平均輝度を有する画像を複数用意しておき、適宜入れ替えて表示する必要がある。
【００２０】
図４は、表示ユニット１００の１画素分の回路構成を示す。この回路は、有機発光素子ＯＬＥＤと、有機発光素子ＯＬＥＤを制御するための２つのトランジスタＴｒ１およびＴｒ２と、保持容量Ｃと、走査信号を送る走査線ＳＬと、輝度データを送るデータ線ＤＬと、有機発光素子ＯＬＥＤに電流を供給する電源供給線Ｖｄｄとを備える。
【００２１】
電源供給線Ｖｄｄは、有機発光素子ＯＬＥＤを発光させるための電流を供給する。データ線ＤＬは、有機発光素子ＯＬＥＤのそれぞれの輝度を制御するための輝度データの信号を流す。走査線ＳＬは、有機発光素子ＯＬＥＤのそれぞれの発光タイミングを制御するための走査信号を流す。輝度データおよび走査信号は、表示制御部３８から供給される。
【００２２】
第１のトランジスタ（以下、「スイッチングトランジスタ」ともいう）Ｔｒ１は、ゲート電極が走査線ＳＬに接続され、ドレイン電極（またはソース電極）がデータ線ＤＬに接続され、ソース電極（またはドレイン電極）が第２のトランジスタ（以下、「駆動用トランジスタ」ともいう）Ｔｒ２のゲート電極に接続される。本実施の形態では、スイッチングトランジスタは、２つのゲート電極を有するダブルゲート構造をとっているが、別の形態では、シングルゲート構造または３以上のゲート電極を有するマルチゲート構造であってもよい。また、スイッチングトランジスタＴｒ１は、ｎチャネルトランジスタであってもｐチャネルトランジスタであってもよい。
【００２３】
駆動用トランジスタＴｒ２は、ソース電極（またはドレイン電極）が有機発光素子ＯＬＥＤの陽極に接続され、ドレイン電極（またはソース電極）が電源供給線Ｖｄｄに接続される。駆動用トランジスタＴｒ２も、スイッチングトランジスタＴｒ１と同様に、シングルゲート構造であってもマルチゲート構造であってもよく、ｎチャネルトランジスタであってもｐチャネルトランジスタであってもよい。
【００２４】
有機発光素子ＯＬＥＤは、陽極が駆動用トランジスタＴｒ２のソース電極（またはドレイン電極）に接続され、陰極は接地される。保持容量Ｃの一端は、スイッチングトランジスタＴｒ１のドレイン電極（またはソース電極）と駆動用トランジスタＴｒ２のゲート電極に接続され、他端は、図示しない配線に接続され接地される。保持容量Ｃの他端は、電源供給線Ｖｄｄに接続されてもよい。
【００２５】
以上の構成によってなされる動作を説明する。有機発光素子ＯＬＥＤの輝度データの書込のために走査線ＳＬの走査信号がハイになると、スイッチングトランジスタＴｒ１がオンとなり、データ線ＤＬに入力された輝度データが駆動用トランジスタＴｒ２および保持容量Ｃに設定される。すると、その輝度データに応じた電流が駆動用トランジスタＴｒ２のソース−ドレイン間に流れ、この電流が有機発光素子ＯＬＥＤに流れることにより有機発光素子ＯＬＥＤが発光する。走査線ＳＬの走査信号がローになると、スイッチングトランジスタＴｒ１がオフとなるが、駆動用トランジスタＴｒ２のゲート電圧は保持されるので、有機発光素子ＯＬＥＤは引き続き設定された輝度データに応じて発光する。
【００２６】
次の走査タイミングになると、再び走査線ＳＬの走査信号がハイになり、スイッチングトランジスタＴｒ１がオンとなって、データ線ＤＬに入力された新たな輝度データが駆動用トランジスタＴｒ２および保持容量Ｃに設定される。これにより、有機発光素子ＯＬＥＤは、新たな輝度データに応じて発光する。
【００２７】
（具体例２）
本具体例では、表示すべき画像を取得すると、その画像の平均輝度を算出し、その平均輝度に基づいて非表示領域に表示すべき画像を選択する。本実施の形態に係る携帯端末１０の内部構成は、図１に示した第１の具体例と同様である。以下、第１の具体例と異なる部分について説明する。
【００２８】
非表示領域設定部３６は、画像取得部３２により取得された画像の平均輝度を算出する。平均輝度は、Ｒ、Ｇ、Ｂの信号ごとに算出されてもよいし、輝度信号Ｙの平均を算出してもよい。非表示領域設定部３６は、算出された平均輝度と略同一の平均輝度を有する画像を非表示領域に表示する。この画像は、平均輝度値で塗りつぶされた画像であってもよいし、予め記憶ユニット４０に用意された模様のある画像であってもよい。模様のある画像の場合は、複数の画像を適宜入れ替えて表示することで、画像の焼き付きを防ぐ。
【００２９】
（具体例３）
本具体例では、表示領域に表示された画像の累積平均輝度と、非表示領域に表示された画像の累積平均輝度を保持しておき、それらが長期的にはほぼ等しくなるように調整する。
【００３０】
図５は、第３の具体例に係る携帯端末１０の内部構成を示す。本具体例の携帯端末１０は、図１に示した第１の具体例の携帯端末１０の構成に加えて、累積平均輝度保持部４４を備える。以下、第１の具体例と異なる部分について説明する。
画像取得部３２が表示すべき画像を取得すると、非表示領域設定部３６は、その画像の平均輝度を算出する。つづいて、非表示領域設定部３６は、累積平均輝度保持部４４から、その画像のサイズに対応する表示領域について、表示領域の累積平均輝度と、非表示領域の累積平均輝度を読み出す。そして、それらの累積平均輝度が近づくように、非表示領域に表示すべき画像を選択する。たとえば、表示領域の累積平均輝度が非表示領域の累積平均輝度よりも低い場合は、今回表示する画像の平均輝度よりも高い平均輝度を有する画像を非表示領域に設定する。これにより、長期的にみて、表示領域と非表示領域の平均輝度を平滑化することができる。非表示領域設定部３６は、今回表示する画像の平均輝度と、非表示領域に表示する画像の平均輝度を、累積平均輝度に加味し、累積平均輝度保持部４４に格納する。表示画像が静止画像の場合は、表示時間を考慮して累積平均輝度を算出してもよい。
【００３１】
図６は、累積平均輝度保持部４４の内部データを示す。累積平均輝度保持部４４には、領域ＩＤ欄１１０、表示領域サイズ欄１１２、表示領域累積平均輝度欄１１４、および非表示領域累積平均輝度欄１１６が設けられている。たとえば、画像取得部３２により取得された画像のサイズが縦１００ドット×横１００ドットである場合は、非表示領域設定部３６により、領域ＩＤ「１」の情報が読み出される。領域ＩＤ「１」の表示領域の累積平均輝度は「７０．５」、非表示領域の累積平均輝度は「７０．３」であるから、今回の表示では、非表示領域の平均輝度を表示領域の平均輝度よりも高く設定すればよい。１回の表示で表示領域および非表示領域の累積平均輝度が等しくなるように調整してもよいし、複数回の表示に分けて少しずつ累積平均輝度が近づくように調整してもよい。
【００３２】
この方法によれば、非表示領域に設定する画像の自由度が広がるので、たとえば、写真などを表示するときに、周囲に額縁の画像を表示してもよいし、表示する画像の種類や色彩、ユーザの嗜好などに合わせて、周囲の画像を選択してもよい。また、表示領域に動画を表示する場合は、その動画の平均輝度の推移に合わせて周囲の画像の平均輝度を変化させると、見づらい画面となる恐れがあるので、非表示領域の画像は最初に設定した画像で固定しておき、動画の表示が終了したときに、表示領域と非表示領域の累積平均輝度を算出して記録しておいてもよい。そして、次回の表示の際に、表示領域と非表示領域の累積平均輝度が近づくように調整すればよい。
【００３３】
以上の実施の形態は例示であり、それらの各構成要素や各処理プロセスの組合せにいろいろな変形が可能なこと、またそうした変形例も本発明の範囲にあることは当業者に理解されるところである。
【００３４】
本実施の形態では、表示装置として、携帯端末を例にとって説明したが、もちろん本発明の技術はこれに限られず、テレビジョン受像機、コンピュータのディスプレーなど、任意の表示装置に適用可能である。
【００３５】
（第１の実施の形態の効果）
本実施の形態によれば、表示装置の輝度のばらつきを抑え、表示品位を向上させることができる。
【００３６】
［第２の実施の形態］
（第２の実施の形態の属する技術分野）
本実施の形態は、有機ＥＬ（エレクトロルミネッセンス）表示装置を具えた携帯端末機に関するものである。
【００３７】
（第２の実施の形態における従来の技術）
近年、有機ＥＬディスプレイの開発が進んでおり、例えば携帯電話機に有機ＥＬディスプレイを採用することが検討されている。
【００３８】
図１１に示す如く、有機ＥＬディスプレイ２０１においては、ガラス基板２１１上に、有機発光層２１４を挟んで有機正孔輸送層２１５及び有機電子輸送層２１６を配置して有機層２１３を形成すると共に、該有機層２１３の両側に陽極２１２及び陰極２１７を配置して、有機ＥＬパネルが構成されており、陽極２１２と陰極２１７の間に所定の電圧を印加することによって、有機発光層２１４を発光させる。
【００３９】
陽極２１２は透明なＩＴＯ(indium tin oxide)を材料とし、陰極２１７は例えばＡｌ−Ｌｉ合金を材料として、それぞれストライプ状に形成され、互いに交叉する方向にマトリクス配置されている。
【００４０】
例えば、陽極２１２はデータ電極、陰極２１７は走査電極として用いられ、水平方向に伸びる１本の走査電極が選ばれた状態で、垂直方向に伸びる各データ電極に、入力データに応じた電圧を印加することによって、該走査電極と各データ電極の交叉点で有機層２１３を発光させて、１ライン分の表示を行なう。そして、走査電極を順次垂直方向へ切り替えることによって垂直方向に走査し、１フィールド分の表示を行なう。
【００４１】
この様な有機ＥＬディスプレイの駆動方式としては、上述の如く走査電極とデータ電極を用いて時分割駆動するパッシブマトリクス駆動型の他に、各画素の発光を１垂直走査期間に亘って維持するアクティブマトリクス駆動型が知られている。
【００４２】
アクティブマトリクス駆動型の有機ＥＬディスプレイにおいては、図１２に示す如く、各画素２５２に、有機層の一部によって構成される有機ＥＬ素子２５０と、有機ＥＬ素子２５０に対する通電を制御する駆動用トランジスタＴＲ２と、走査電極による走査電圧ＳＣＡＮの印加に応じて導通状態となる書込み用トランジスタＴＲ１と、該書込み用トランジスタＴＲ１が導通状態となることによってデータ電極からのデータ電圧ＤＡＴＡが印加されて電荷を蓄積する容量素子Ｃとが配備され、該容量素子Ｃの出力電圧が駆動用トランジスタＴＲ２のゲートに印加されている。
【００４３】
先ず、各走査電極に順次電圧を印加し、同一走査電極に繋がっている複数の第１トランジスタＴＲ１を導通状態にし、この走査に同期して各データ電極にデータ電圧(入力信号)を印加する。このとき、第１トランジスタＴＲ１が導通状態であるので、該データ電圧は容量素子Ｃに蓄積される。
【００４４】
次に、この容量素子Ｃに蓄積されたデータ電圧の電荷量によって第２トランジスタＴＲ２の動作状態が決まる。例えば、第２トランジスタＴＲ２がオンになったときは、該第２トランジスタＴＲ２を経て有機ＥＬ素子２５０にデータ電圧に応じた大きさの電流が供給される。この結果、データ電圧に応じた明るさで該有機ＥＬ素子２５０が点灯する。この点灯状態は、１垂直走査期間(１フィールド期間)に亘って保持されることになる。
【００４５】
（第２の実施の形態が解決しようとする課題）
ところで、有機ＥＬディスプレイにおいては、有機ＥＬ素子の発光特性が発光時間の経過に伴って劣化し、同じ入力電流によって得られる輝度が低下することになる。従って、有機ＥＬディスプレイを具えた携帯電話機においては、画面に電子メールの文字を表示する場合、常に一定領域の画素の発光頻度が高くなるため、これらの画素は他の画素に比べて発光特性が著しく劣化することになり、所謂“焼き付き”が発生する問題がある。
【００４６】
そこで本発明の目的は、有機ＥＬディスプレイを具えた携帯端末機において簡易な構成で“焼き付き”の問題を解消することである。
【００４７】
（第２の実施の形態における課題を解決する為の手段）
本実施の形態に係る携帯端末機は、有機ＥＬディスプレイに電子メールを表示する際に、文字部分は黒色又は背景部分よりも輝度の低い色で表示すると共に、背景部分は白色または文字部分よりも輝度の高い色で表示する黒文字表示モードと、背景部分は黒色又は文字部分よりも輝度の低い色で表示すると共に、文字部分は白色又は背景部分よりも輝度の高い色で表示する白文字表示モードとの間で、表示モードの切替え可能な画像処理回路と、該画像処理回路の動作を制御する制御回路とを具え、該制御回路は、黒文字表示モードと白文字表示モードの間で交互にモードを切り替えることを特徴とする。
【００４８】
具体的には、制御回路は、所定の規則に従って黒文字表示モードと白文字表示モードの間のモード切替えを指令するものである。所定の規則としては、例えば、送信メールの表示と受信メールの表示でモードを切り替えるという規則や、一定の周期でモードを切り替えるという規則を採用することが出来る。
【００４９】
或いは、制御回路は、ランダムなタイミングでモードを切り替えるものである。
【００５０】
上記のモード切替えは、制御プログラムの簡易な変更で実現することが出来る。
【００５１】
上記本発明の携帯端末機においては、電子メールの文字を表示する場合に、文字が低輝度で表示される黒文字表示モードと、文字が高輝度で表示される白文字表示モードとが、一定の周期、ユーザの操作に応じた所定のタイミング、或いはランダムなタイミングで切り替わるので、一定領域の画素のみが常に高い輝度で発光するという事態は回避され、これによって“焼き付き”の問題が解消される。
【００５２】
（第２の実施の形態の具体例）
以下、本発明を携帯電話機に実施した実施の形態につき、図面に沿って具体的に説明する。
【００５３】
本実施の形態に係る携帯電話機は、図７に示す如く、電話通信や電子メールの送受信を行なうための送受信回路２０２と、送受信回路２０２によって受信し或いは送信せんとする電子メールを有機ＥＬディスプレイ２０１に表示するための画像処理回路２０３と、画像処理回路２０３からの画像信号を受けて有機ＥＬディスプレイ２０１を駆動する駆動回路２０４と、送受信回路２０２及び画像処理回路２０３の動作を制御するマイクロコンピュータからなる制御回路２０５とを具えている。
【００５４】
図９は、前記制御回路２０５が電子メールを有機ＥＬディスプレイ２０１に表示する際に実行する制御手続きを表わしている。先ずステップＳ１では、表示すべき電子メールが送信メールであるかどうかを判断する。
【００５５】
送信メールの場合はステップＳ２にて、図８(ａ)に示す如く文字部分は黒色、背景部分は白色で表示する黒文字表示モードを設定し、画像処理回路２０３へモード切替え信号を供給する。
【００５６】
これに対し、表示すべき電子メールが受信メールの場合は図９のステップＳ３に移行して、文字部分は白色、背景部分は黒色で表示する白文字表示モードを設定し、画像処理回路２０３へモード切替え信号を供給する。
【００５７】
この結果、送信メールは、図８(ａ)の如く黒文字表示モードで有機ＥＬディスプレイ２０１に表示され、受信メールは、図８(ｂ)の如く白文字表示モードで有機ＥＬディスプレイ２０１に表示されることになる。
【００５８】
図１０は、前記制御回路２０５が電子メールを有機ＥＬディスプレイ２０１に表示する際に実行する他の制御手続きを表わしている。先ずステップＳ１１では、本日が偶数日であるかどうかを判断する。
【００５９】
偶数日である場合はステップＳ１２にて、図２(ａ)に示す如く文字部分は黒色、背景部分は白色で表示する黒文字表示モードを設定し、画像処理回路２０３へモード切替え信号を供給する。
【００６０】
これに対し、本日が奇数日である場合は図４のステップＳ１３に移行して、文字部分は白色、背景部分は黒色で表示する白文字表示モードを設定し、画像処理回路２０３へモード切替え信号を供給する。
【００６１】
この結果、送信メール及び受信メールは、偶数日には図２(ａ)の如く黒文字表示モードで有機ＥＬディスプレイ２０１に表示され、奇数日には図２(ｂ)の如く白文字表示モードで有機ＥＬディスプレイ２０１に表示されることになる。
【００６２】
上記本発明の携帯電話機においては、電子メールが送信メールであるか、受信メールであるかによって、或いは本日が偶数日であるか、奇数日であるかによって、黒文字表示モードと白文字表示モードとが切り替えられるので、有機ＥＬディスプレイ２０１を構成する複数の画素の発光輝度が画面全体に亘って時間的に平均化され、発光輝度の偏りが解消される。この結果、一部の画素だけが早く経年劣化することに起因する“焼き付き”が防止されることになる。
【００６３】
又、常に文字部分を黒色、背景部分を白色で表示していた従来の携帯電話機では、黒色の文字部分よりも白色の背景部分が広い面積を占めるため、有機ＥＬディスプレイの消費電力が大きかったが、本実施の形態の携帯電話機においては、黒文字表示モードと白文字表示モードが切り替えられるので、従来よりも消費電力が節減される。
【００６４】
尚、本発明の各部構成は上記実施の形態に限らず、請求の範囲に記載の技術的範囲内で種々の変形が可能である。例えば、携帯電話機の電源を投入する度に黒色表示モードと白色表示モードを切り替える規則、メール画面が表示される度にモードを切り替える規則、メールの作成と閲覧でモードを切り替える規則、メール作成時のメールの表示に際して１回或いは所定の回数毎にモードを切り替える規則、或いは、送信又は受信の済んだメールの表示に際して１回或いは所定の回数毎にモードを切り替える規則等、種々の切替え規則を採用することが出来る。更には、一定の規則に従わず、ランダムなタイミングでモードを切り替える構成も採用可能である。
【００６５】
（第２の実施の形態の効果）
本実施の形態に係る有機ＥＬディスプレイを具えた携帯端末機によれば、簡易な構成で“焼き付き”の問題を解消することが出来る。
【００６６】
［第３の実施の形態］
（第３の実施の形態の属する技術分野）
本実施の形態は、有機エレクトロルミネッセンス（有機ＥＬ）ディスプレイを備えた携帯型電話機におけるアンテナピクト、電池残量ピクト等のピクト（絵文字）の表示方法に関する。
【００６７】
（第３の実施の形態における従来の技術）
カラー有機ＥＬディスプレイにおいては、ＲＧＢをそれぞれ発光する３種類の有機ＥＬ素子（Ｒ発光素子、Ｇ発光素子、Ｂ発光素子）で、１つのカラー画素が構成されている。長期間にわたってカラー有機ＥＬディスプレイを使用すると、発光素子が劣化し、発光輝度が低下する。特に、発光素子に大きな電流が継続して流れると、つまり大きな発光輝度で点灯され続けると、発光輝度の低下が早まる。
【００６８】
（第３の実施の形態が解決しようとする課題）
この実施の形態は、ピクト表示に対する輝度劣化を目立ちにくくすることが可能となるピクトの表示方法を提供することを目的とする。
【００６９】
（第３の実施の形態における課題を解決するための手段）
本実施の形態の第１の態様に係る表示方法は、カラー有機ＥＬディスプレイ上に表示されかつ状況に応じて点灯箇所が増加したり減少したりするピクトの表示方法において、点灯される確率の高い箇所ほど、予め表示輝度を低く設定しておくことを特徴とする。
【００７０】
本実施の形態の第２の態様に係る表示方法は、第１の態様のピクトの表示方法において、ピクトが、アンテナピクトおよび／または電池残量ピクトであることを特徴とする。
【００７１】
本実施の形態の第３の態様に係る表示方法は、カラー有機ＥＬディスプレイ上に重なりを有する位置に表示されかつ状況に応じて大別して２種類または３種類のピクトが切り替え表示されるピクトの表示方法において、２種類または３種類のピクトの間で点灯される発光素子の色種類が互いに異なるように、各ピクトを構成するドットが設定されていることを特徴とする。
【００７２】
本実施の形態の第４の態様に係る表示方法は、第３の態様のピクトの表示方法において、ピクトが、アンテナバーを表す第１ピクトと圏外の文字を表す第２ピクトとが状況に応じて切り替えられるアンテナピクトであることを特徴とする。
【００７３】
本実施の形態の第５の態様に係る表示方法は、第３の態様のピクトの表示方法において、ピクトが、電池残量バーを表す第１ピクトと充電の文字を表す第２ピクトとが状況に応じて切り替えられる電池残量ピクトであることを特徴とする。
【００７４】
本実施の形態の第６の態様に係る表示方法は、カラー有機ＥＬディスプレイ上に表示される複数のピクトの表示方法において、表示される頻度の高いピクトほど、予め表示輝度を低く設定しておくことを特徴とする。
【００７５】
（第３の実施の形態の具体例）
以下、図面を参照して、この発明をカラー有機ＥＬディスプレイを備えた携帯型電話機に適用した場合の実施の形態について説明する。
【００７６】
図１３は、携帯型電話機の概略構成を示している。
【００７７】
ＭＰＵ３１０９は、携帯型電話機の全体的な制御を行う。アンテナ３１０１は、電波を送受信する。送受信部３１０２は、電波を受信し、受信内容をＭＰＵ３１０９に伝達する。また、送受信部３１０２は、ＭＰＵ３１０９から出力される送信信号を電波に乗せて発信する。
【００７８】
マイク３１０３は、音声信号をＭＰＵ３１０９に送る。スピーカ３１０４は、ＭＰＵ３１０９から出力される音声信号を音声として出力する。第１カメラ３１０５は、カラー有機ＥＬディスプレイ３１１４が設けられている携帯型電話機本体の前面に取り付けられたカメラであり、撮像した映像をＭＰＵ３１０９に送る。第２カメラ３１０６は、携帯型電話機本体の背面に取り付けられたカメラであり、撮像した映像をＭＰＵ３１０９に送る。撮像モード時には、通常モード時の表示映像に代わって、カメラ３１０５または３１０６によって撮像された映像がカラー有機ＥＬディスプレイ３１１４に表示される。
【００７９】
操作部３１０８は、携帯型電話機本体に設けられており、各種ボタン、各種スイッチを含んでいる。フラッシュメモリ３１１０には、電源オフ時においても保存すべきデータが格納される。
【００８０】
グラフィックスメモリ３１１２には、ディスプレイに表示する画像データが格納される。ＭＰＵ３１０９から出力される画像データと書き込み制御信号に基づいて、グラフィックスメモリ３１１２の所定のアドレスに画像データが書き込まれる。また、グラフィックスメモリ３１１２からは、カラー有機ＥＬディスプレイ３１１４の表示周期にあわせて、対応画素の画素データが走査タイミングに合わせて出力される。
【００８１】
タイミング制御ＩＣ３１１３は、有機ＥＬディスプレイ３１１４に画像データと、駆動信号を供給し、カラー有機ＥＬディスプレイ３１１４に映像を表示させる。
【００８２】
カラー有機ＥＬディスプレイ３１１４においては、ＲＧＢをそれぞれ発光する３種類の有機ＥＬ素子（Ｒ発光素子、Ｇ発光素子、Ｂ発光素子）で、１つのカラー画素が構成される。このようなカラー有機ＥＬディスプレイ３１１４は、ＲＧＢの各色発光用の有機ＥＬ素子（Ｒ発光素子、Ｇ発光素子、Ｂ発光素子）を含んでいる。
【００８３】
ところで、このような携帯型電話機においては、カラー有機ＥＬディスプレイ３１１４の表示面の上部に、電池残量を示す電池残量ピクトや、受信感度を示すアンテナピクトが表示される。この実施の形態では、このようなピクトの表示方法として、次の３つの方法を提案する。
【００８４】
第１の方法（以下、第１手法という）は、カラー有機ＥＬディスプレイ３１１４上に表示されかつ状況に応じて点灯箇所が増加したり減少したりするピクトの表示方法において、点灯される確率の高い箇所ほど、予め表示輝度を低く設定しておく方法である。
【００８５】
第２の方法（以下、第２手法という）は、カラー有機ＥＬディスプレイ３１１４上に重なりを有する位置に表示されかつ状況に応じて大別して２種類（または３種類）のピクトが切り替え表示されるピクトの表示方法において、２種類（または３種類）のピクトの間で点灯される発光素子の色種類が互いに異なるように、各ピクトを構成するドットを設定しておく方法である。
【００８６】
第３の方法（以下、第３手法という）は、カラー有機ＥＬディスプレイ３１１４上に表示される複数のピクトの表示方法において、表示される頻度の高いピクトほど、予め表示輝度を低く設定しておく方法である。
【００８７】
以下、これらの手法について、より具体的に説明する。
【００８８】
〔１〕第１手法についての説明
〔１−１〕電池残量ピクトに第１手法を適用した場合の説明
図１４に示すように、電池残量ピクトを表示するために、大別して、電池残量レベルを０〜３本のバーで表す第１ピクト（図１４の（ａ）、（ｂ）、（ｃ）、（ｄ））と、”充電”の文字を表す第２ピクト（図１４の（ｅ））とが用意されている。この第２ピクトは、電池残量が極めて少なくなったときに表示される。
【００８９】
第１ピクトは、電池を模った電池枠図形と電池枠図形内に表示されるバーとからなる。第１ピクトは、電池残量レベルに応じて、図１４の（ａ）、（ｂ）、（ｃ）、（ｄ）に示すように、電池枠図形内に表示されるバーが３本、２本、１本、０本の４段階に変化する。バーの数が多いほど、電池残量が多いことを示している。
【００９０】
図１４に示す５種類の画像は、電池残量レベルに応じて、切り替え表示される。第１ピクト（バー表示）は、例えば緑色で表示され、第２ピクト（充電の文字表示）は赤色で表示される。
【００９１】
第１手法では、第１ピクトの３本のバーのうち、点灯される確率の高いバーほど、予め表示輝度が低く設定される。つまり、３本のバーのうち、右端のバーが点灯される確率が最も高く、左端のバーが点灯される確率が最も低く、中央のバーが点灯される確率はその中間である。したがって、図１５に示すように、右端のバー３１３の表示輝度を最も低く設定し、左端のバー３１１の表示輝度を最も高く設定し、中央のバー３１２の表示輝度をそれらの中間値に設定しておく。
【００９２】
図１６は、点灯される確率の高い右端のバーの表示輝度の経時的変化（実線）と点灯される確率の低い左端のバーの表示輝度の経時的変化（破線）を示している。
【００９３】
図１６（ａ）は、点灯される確率の高いバーほど予め表示輝度を低く設定した場合（上記第１手法）の表示輝度経時的変化を示し、図１６（ｂ）はいずれのバーの表示輝度も予め同じ値に設定した場合（従来手法）の表示輝度経時的変化を示している。
【００９４】
携帯型電話機の累積使用時間が長くなると、点灯される確率の低い左端のバーに対する表示輝度の低下率に比べて、点灯される確率の高い右端のバーに対する表示輝度の低下率の方が大きいため、従来例では累積使用時間が大きくなるにしたがって、これら２つのバーの表示輝度差が徐々に大きくなる。
【００９５】
これに対して、上記第１手法では、点灯される確率の高いバーほど予め表示輝度が低く設定されているため、左端のバーの表示輝度と右端のバーの表示輝度は累積使用時間が大きくなるにしたがって均等化されていき、両者の表示輝度差は小さくなっていく。そして、両者の表示輝度差が０になる時点を過ぎると、それまでと逆方向に輝度差が広がっていくが、視認に耐えうる輝度差になるまで、使用時間を延ばすことができる。
【００９６】
３つのバーを考慮すると、第１手法では、点灯される確率の高いバーほど予め表示輝度が低く設定されているため、各バーの表示輝度は累積使用時間が大きくなるにしたがって均等化されていき、各バーの表示輝度差は小さくなっていく。そして、各バーの表示輝度差が０になる時点を過ぎると、それまでと逆方向に輝度差が広がっていくが、視認に耐えうる輝度差になるまで、使用時間を延ばすことができる。
【００９７】
〔１−２〕アンテナピクトに第１手法を適用した場合の説明
図１７に示すように、アンテナピクトを表示するために、大別して、受信感度を０〜３本のバーで表す第１ピクト（図１７の（ａ）、（ｂ）、（ｃ）、（ｄ））と、”圏外”の文字を表す第２ピクト（図１７の（ｅ））とが用意されている。この第２ピクトは、受信感度が極めて低くなったときに表示される。
【００９８】
第１ピクトは、アンテナを模ったアンテナ図形とアンテナ図形の右横に表示されるバーとからなる。第１ピクトは、受信感度に応じて、図１７の（ａ）、（ｂ）、（ｃ）、（ｄ）に示すように、アンテナ図形の右横に表示されるバーが３本、２本、１本、０本の４段階に変化する。バーの数が多いほど、受信感度が高いことを示している。
【００９９】
図１７に示す５種類の画像は、受信感度に応じて、切り替え表示される。第１ピクトは、例えば緑色で表示され、第２ピクトは赤色で表示される。
【０１００】
第１手法では、第１ピクトの３本のバーのうち、点灯される確率の高いバーほど、予め表示輝度が低く設定される。つまり、３本のバーのうち、左端のバーが点灯される確率が最も高く、右端のバーが点灯される確率が最も低く、中央のバーが点灯される確率はその中間である。したがって、図１８に示すように、左端のバー３２１の表示輝度を最も低く設定し、右端のバー３２３の表示輝度を最も高く設定し、中央のバー３２２の表示輝度をそれらの中間値に設定しておく。
【０１０１】
この場合も、点灯される確率の高いバーほど予め表示輝度が低く設定されているため、各バーの表示輝度は累積使用時間が大きくなるにしたがって均等化されていき、各バーの表示輝度差は小さくなっていく。そして、各バーの表示輝度差が０になる時点を過ぎると、それまでと逆方向に輝度差が広がっていくが、視認に耐えうる輝度差になるまで、使用時間を延ばすことができる。
【０１０２】
〔２〕第２手法についての説明
上述したように、カラー有機ＥＬディスプレイ３１１４においては、ＲＧＢをそれぞれ発光する３種類の有機ＥＬ素子（Ｒ発光素子、Ｇ発光素子、Ｂ発光素子）で、１つのカラー画素が構成される。つまり、１つのカラー画素は、３つのドットから構成されている。
【０１０３】
また、上述したように、電池残量ピクトでは、大別して、電池残量レベルを０〜３本のバーで表す第１ピクト（図１４の（ａ）、（ｂ）、（ｃ）、（ｄ））と、”充電”の文字を表す第２ピクト（図１４の（ｅ））とが、状況に応じて切り替え表示される。
【０１０４】
第２の手法では、図１９に示すように、第１ピクト（バー表示）と第２ピクト（充電の文字表示）との間で点灯される発光素子の色種類が互いに異なるように、これらのピクトを構成するドットが設定されている。
【０１０５】
図１９（ａ）は、第１ピクトのうち最も点灯箇所が多くなるもの（図１４（ａ）に対応するピクト）を構成するドットを示している。図１９（ｂ）は第２ピクト（図１４（ｅ）に対応するピクト）を構成するドットを示している。図１９（ｃ）は、第１ピクトを構成するドットと、第２ピクトを構成するドットの位置関係を示している。
【０１０６】
この例では、第１ピクトは緑色のみで表示され、第１ピクトを構成するドットは全てＧ発光素子のみで構成されている。一方、第２ピクトは赤色のみで表示され、第２ピクトを構成するドットは全てＲ発光素子のみで構成されている。
【０１０７】
第１ピクトおよび第２ピクトのうちの一方を構成するドットを、２色の発光素子（例えばＲ発光素子およびＧ発光素子）で構成し、他方を構成するドットを上記２色とは異なる１つの色の発光素子（例えばＢ発光素子）で構成するようにしてもよい。
【０１０８】
第２手法では、第１ピクトと第２ピクトとの間で点灯される発光素子の色種類が互いに異なるように、これらのピクトを構成するドットが設定されているので、第１ピクトと第２ピクトとがほぼ同じ領域に表示されても、第１ピクトと第２ピクトとの間において、互いに他方の輝度劣化の影響を受けなくなる。
【０１０９】
なお、第２手法は、アンテナピクトにおける受信感度を０〜３本のバーで表す第１ピクト（図１７の（ａ）、（ｂ）、（ｃ）、（ｄ））と、”圏外”の文字を表す第２ピクト（図１７の（ｅ））との間においても適用することができる。
【０１１０】
〔３〕第３手法についての説明
図２０は、カラー有機ＥＬディスプレイ３１１４の上部に表示されうる複数のピクトを示している
【０１１１】
第３手法では、これらの複数のピクト３３１〜３３８のうち、表示される頻度の高いピクトほど、予め表示輝度が低くされる。
【０１１２】
具体的には、ピクト３３１は、通話中であることを示すピクトであり、通話中のみ表示され、表示される頻度が低いので、予め表示輝度が高く設定されている。
【０１１３】
ピクト３３２は、電池残量ピクトであり、常時表示され、表示される頻度が高いので、予め表示輝度が低く設定されている。
【０１１４】
ピクト３３３は、キーロック状態であることを示すピクトであり、キーロックしたときのみ表示され、表示される頻度が低いので、予め表示輝度が高く設定されている。
【０１１５】
ピクト３３４は、マナーモード状態であることを示すピクトであり、マナーモード時のみ表示され、表示される頻度が低いので、予め表示輝度が高く設定されている。
【０１１６】
ピクト３３５は、メールが着信したことを示すピクトであり、メール着信時のみ表示され、表示される頻度が低いので、予め表示輝度が高く設定されている。
【０１１７】
ピクト３３６は、Ｗｅｂ検索を行っていることを示すピクトであり、Ｗｅｂ検索時のみに表示され、表示される頻度が低いので、予め表示輝度が高く設定されている。
【０１１８】
ピクト３３７は、アンテナピクトであり、常時表示され、表示される頻度が高いので、予め表示輝度が低く設定されている。
【０１１９】
ピクト３３８は、文字入力モードを示すピクトであり、文字入力時のみに表示され、表示される頻度が低いので、予め表示輝度が高く設定されている。
【０１２０】
つまり、図２０の例では、ピクト３３１〜３３８のうち、表示される頻度の高いピクト３３２、３３７については、予め表示輝度が低く設定される。
【０１２１】
（第３の実施の形態の効果）
この実施の形態によれば、ピクト表示に対する輝度劣化を目立ちにくくすることが可能となる。
【０１２２】
［第４の実施の形態］
（第４の実施の形態の属する技術分野）
本実施の形態は表示装置および表示方法に関し、特に表示装置および表示方法の表示品位を改善する技術に関する。
【０１２３】
（第４の実施の形態における従来の技術）
ノート型パーソナルコンピュータや携帯端末の普及が進んでいる。現在、主に液晶ディスプレイが、それらの表示装置に使用されており、有機ＥＬ（Electro Luminescence）ディスプレイが次世代平面表示パネルとして期待されている。液晶ディスプレイはその視野角の狭さや、応答速度の遅さが依然として課題として残っている。一方、有機ＥＬディスプレイは、上述の課題を克服するとともに、高輝度、高効率が達成できる。
【０１２４】
（第４の実施の形態が解決しようとする課題）
しかし、有機ＥＬディスプレイは、その特性上光学素子の経時変化すなわち劣化が避けられず、製造時にはホワイトバランスが調整されていても、継続的な使用によってホワイトバランスが崩れたり、輝度のムラができたりする。有機ＥＬディスプレイは、光学素子の劣化が液晶ディスプレイに比べて顕著であることが知られており、製品の品質面から大きな問題であることが認識されている。
【０１２５】
本実施の形態はこうした状況に鑑みなされたものであり、その目的は上述の輝度のムラによる表示品位の低下を改善するものである。また、別の目的は、輝度のムラが集中することによる表示画像の焼き付きを防止することにある。
【０１２６】
（第４の実施の形態における課題を解決するための手段）
本実施の形態のある態様は表示装置に関する。この装置は、光学素子を備える表示装置において、光学素子に設定された輝度情報を蓄積する輝度情報蓄積部と、蓄積された輝度情報に基づき、各光学素子の劣化の推定量が平均化されるよう表示装置に表示される表示画像を変更する表示変更部とを含む。
【０１２７】
ここで、表示装置とは、表示画面を備える装置を指し、例えば、携帯電話やＰＤＡ（Personal Digital Assistants）、パーソナルコンピュータなどが想定される。例えば、有機ＥＬディスプレイにおいては、その光学素子である有機発光ダイオード（Organic Light Emitting Diode：以下単にＯＬＥＤという）は、上述の通り経時変化により劣化が起き、その原因は通電される電流によると考えられている。ＯＬＥＤが発する光の輝度は電流に依存するため、ＯＬＥＤに設定される輝度を積算し保持しておくなど、各ＯＬＥＤに設定される輝度をモニタすることでＯＬＥＤの劣化が推定可能となる。ＯＬＥＤの劣化が平均化されていれば、輝度のムラの発生を避けることができる。
【０１２８】
一般に、携帯電話の表示画面などでは、特定の位置に特定の文字や画像が表示されていることが多く、焼き付きの原因にもなる。従って、表示される文字や画像の呈示位置、輝度、色調などを変更することでＯＬＥＤの劣化の平均化が実現できる。また、ここで平均化とは、概ね平均的でありユーザが輝度のムラが認識できない程度であればよい。
【０１２９】
またさらに、有機ＥＬディスプレイにおいてカラー表示をする場合、Ｒ（赤）Ｇ（緑）Ｂ（青）各色ごとにＯＬＥＤの材料が異なり、その劣化の進行速度が異なる。それにより、表示装置の使用とともに、例えば表示画像が緑がかって表示されると言った症状が現れるときもある。従って、ＲＧＢ各色のＯＬＥＤの劣化の程度を平均化する必要がある。
【０１３０】
本実施の形態の別の態様も表示装置に関する。この装置は、光学素子を備える表示装置において、各光学素子の劣化の推定量が平均化されるよう表示装置に表示される表示画像を、その画像の大略を維持しながら変更する表示変更部を含む。
【０１３１】
本実施の形態のさらに別の態様も表示装置に関する。この表示装置は、光学素子を備え複数の表示領域から構成された表示画面を有し、表示領域ごとに、表示内容の同一性を維持しながら、表示画像を変更する表示変更部を含む。
【０１３２】
例えば、携帯電話で表示画面が複数の領域に分割されていることがある。多くの携帯電話の上部には、横に細長い表示領域が設けられており、そこには、電池の残量や、電波の強度を示す画像が表示されている。これらの画像は、常時表示されている。したがって、それらの表示領域が焼き付くと、ユーザは電池の残量や電波の強度を正しく認識できなくなる恐れが出てくる。そこで、分割された領域毎に、表示される画像が変更されると好都合である。
【０１３３】
また、表示変更部は、前回の変更を起点として光学素子の劣化の推定量が所定値に達したとき再度表示画像を変更してもよい。例えば、光学素子に設定された輝度の積算値が所定の値を超えたときに表示画像を変更し、変更が行われた場合は輝度の積算値を初期化してもよい。また、表示変更部は、隣接する画素どうしの輝度の差を積算した値の絶対値が所定値を超えたとき表示画像を変更してもよい。
【０１３４】
つまり、隣り合う画素の輝度の差分をとることで、それら画素の光学素子の劣化の差が推定できる。その差分を時間方向に積算することで、積算した期間における画素の劣化が推定可能となる。
【０１３５】
さらにまた、表示画面の偶数と奇数の行または列の光学素子の劣化の推定量の差が所定値を超えたとき表示画像を変更してもよい。つまり、偶数と奇数の行または列の光学素子に設定された輝度の積算値を比較して、その差が所定値を超えたときに表示画像を変更する。
【０１３６】
また、以下の二つの条件のときに表示画像が変化されてもよい。まず、その時点まで偶数と奇数の行または列の光学素子に設定された輝度の差分を積算する。次に表示しようとしている画像の偶数と奇数の行または列の光学素子に設定される輝度の差分を積算する。ここで、それぞれ積算結果を正負で判断して光学素子の劣化が均一となるように表示画像を変更する。また、その時点まで偶数と奇数の行または列の光学素子に設定された輝度を積算する。次に表示しようとしている画像の偶数と奇数の行または列の光学素子に設定される輝度を積算する。ここで、それぞれ積算結果を大小で判断して光学素子の劣化が均一となるように表示画像を変更する。これら二つの条件の場合、表示画像を変更する際の閾値である所定値を保持しておくメモリを回路に設ける必要がない。
【０１３７】
また、表示変更部は、表示装置の電源がオンまたはオフされたとき、その処理の過程において表示画像を変更してもよい。例えば、ユーザが表示装置を見ていないときに表示画像が変更されることで、ユーザはその変更を意識することがなくなる。また、表示変更部は、表示装置に表示されるアプリケーションが切り替わるときに、その切替えの過程において表示画像を変更してもよい。
【０１３８】
また、表示装置の表示画面は開閉式であって、その表示画面の開閉を検知する開閉検知部をさらに含み、表示変更部は、開閉検知部にて表示画面の開閉が検知された場合、表示画面を変更してもよい。また、表示装置を操作する操作部がスライド式であって、その操作部のスライドを検知するスライド検知部をさらに含み、表示変更部は、スライド検知部にて操作部のスライドが検知された場合、表示画面を変更してもよい。例えば、携帯電話において、そのキーボードなどの操作部が通常は表示画面の下に隠れており、操作する際にその操作部がスライド式で引き出される形式の場合、その引き出しまたは閉じる操作によって、表示画面を変更してもよい。
【０１３９】
また、表示変更部は、表示画像の呈示位置をシフトすることにより、表示画像を変更してもよいし、光学素子の劣化の推定量に応じ各光学素子に設定される信号を調整してもよい。例えば上述のように光学素子に設定された輝度を積算しておくことで、光学素子の劣化の程度を推定し、例えば、劣化が大きいと推定される光学素子には、劣化の推定量に基づき輝度のムラが発生しないように光学素子に設定する輝度を調整する。
【０１４０】
また、表示変更部は、表示画像の領域から、呈示位置をシフトすべき特定領域を検出する領域検出部を更に含み、検出された特定領域の呈示位置をシフトすることにより表示画像を変更してもよい。表示画像の大きさと呈示位置が管理されていれば、表示装置が備えるＭＰＵやメモリにより、比較的容易に表示画像をシフトすることができる。一方、表示画面が複数に分割されて見えるが、それぞれに表示される表示画面が個別に管理されず、表示内部では実質的に一つの表示画面として管理されていることがある。その場合でも、特定の分割された表示画面に表示されているある映像のみをシフトさせたいことがある。
【０１４１】
例えば、携帯電話の表示画面が例示される。携帯電話の表示画面は、上部および下部に細長い表示領域と真ん中に比較的広い表示領域を備える。上部および下部の領域には、例えば電波の状態や電池の残量を示す画像が表示されており、真ん中の表示領域には、電子メールが表示されたり、携帯電話が使用されていないときには背景画像が表示されている。
【０１４２】
常時同じ画像が表示されていると焼き付きが発生する恐れがあるので、真ん中の表示領域の背景画像だけをシフトさせたいことがある。３領域が一つの表示画面として管理されているときは、真ん中に表示されている画像のみが取り出されてシフトされる必要がある。特に、その画像が、単一色の背景画像とその中にイラストのような画像が構成されているような場合、そのイラストだけを取り出してシフトする。
【０１４３】
また、表示変更部は、設定される信号を調整するときに、信号の値に応じて、当該信号に与えるべき補正量を決定してもよい。例えば、光学素子に低輝度が設定される場合と高輝度が設定される場合に、同じ補正量が信号に与えられると、低輝度が設定されるときに表示画像に与える影響が大きくなる可能性がある。従って、低輝度が設定される場合は、信号に与えられる補正量を減らす処理を行う。
【０１４４】
また、表示変更部は、設定される信号を調整するときに、周辺の画素の光学素子の劣化の推定量に基づき、当該信号に与えるべき補正量を決定してもよい。
【０１４５】
また、表示変更部は、各光学素子の表示色を切り替えることにより表示画像を変更してもよいし、さらに所定の周期で表示色を変換してもよい。上述のように、輝度の積算値が所定の値に達しており、かつユーザから入力が一定期間ない場合など、例えば緑の色の積算値が少ない場合、表示画像全体を緑にする。また、表示色の切替えは、画素を構成する各色に対応する光学素子の輝度比率を徐々に変化させることによってなされてもよい。
【０１４６】
また、実際の表示画像の表示に必要される表示エリアを表示装置において表示可能な有効表示エリアより小さく設定し、表示変更部は、表示エリアを有効表示エリア内でシフトさせてもよい。例えば、表示画面の画素の構成が縦横１０５×１０５画素である場合、実際に表示する表示エリアは縦横１００×１００画素とし、縦横５画素分シフト可能エリアとする。
【０１４７】
光学素子はドットに対応し、画素は複数の色のドットから構成されており、表示変更部は、１ドット単位で表示画像をシフトし、本来１画素を構成する光学素子の組み合わせを変えてもよい。上述のように一般に、カラー表示装置において、１画素は、ＲＧＢの３色のドットで構成されている。従って、表示画像は、１画素単位でシフトしてもよいし、１ドット単位でシフトしてもよい。
【０１４８】
また、表示変更部は、シフトされる表示画像が文字列を含んで構成される場合、本来文字同士が接触した形で表示されることを避けるために設けられている余白領域を文字列に含まれる任意の文字のシフト可能範囲としてもよい。一般に、フォントはもともと表示領域の一方のラインは隣のフォントと接触しないように利用せず余白領域となっている。例えば縦横１６×１６画素のフォントの場合、実際には縦横１５×１５画素しか利用されていないので、利用されていない縦横それぞれ１画素ラインもフォントの表示領域として利用されてもよい。
【０１４９】
また、表示変更部は、シフトされる表示画像が文字列を含んで構成される場合、ユーザがその文字列を見る際に表示画像を可読性に影響の少ない方向にシフトしてもよい。例えば、携帯電話の表示画面で電子メールを見る際に、文字列を水平方向にスクロールさせる。
【０１５０】
また、表示変更部は、所定期間ユーザから入力がない場合、表示画像をスクロールしてもよいし、表示画像をモザイク処理し表示してもよい。また、モザイク処理により生成されるブロックの大きさは時間の経過とともに変化してもよい。
【０１５１】
表示変更部は、壁紙として機能する背景画像を新たに設定する際に光学素子の劣化の程度に応じて壁紙を設定してもよい。ここで「壁紙を設定する」とは、新たな壁紙を選択して背景画像として設定する場合と、従来の壁紙の色を変更し背景画像として設定する場合の両方をいう。
【０１５２】
つまり、光学素子の推定される劣化の程度に応じて壁紙の色を変えたり、さらには、赤色の輝度低下が大きいと推定される場合、緑や青色が多く使用されている画像を壁紙とすることで、各色の輝度の低下が平均化される。また、選択した壁紙のホワイトバランスを調整して、ＲＧＢの各色に対応する光学素子の劣化が均一になるように、壁紙の色調を変更して表示させる。特に有機ＥＬディスプレイでは、各色のＯＬＥＤの劣化の進行度合いが異なるため、このような設定は非常に有効である。
【０１５３】
本実施の形態の別の態様は、表示方法に関する。この方法は、光学素子を備える表示装置において、光学素子に設定された輝度情報を蓄積する工程と、蓄積された輝度情報に基づき、各光学素子の劣化の推定量が平均化されるよう表示装置に表示される表示画像を変更する工程とを含む。
【０１５４】
本実施の形態のさらに別の態様も表示方法に関する。この方法は、光学素子を備える表示装置において、各光学素子の劣化の推定量が平均化されるよう表示装置に表示される表示画像を、それ自身の内容の大略を残しつつ変更する工程とを含む。
【０１５５】
なお、以上の構成要素の任意の組合せや組み替え、本発明を方法、コンピュータプログラムなどと表現したものもまた、本発明の態様として有効である。
【０１５６】
（第４の実施の形態の具体例）
（前提技術）
本実施の形態の説明に先だって、本実施の形態の前提技術となる有機ＥＬディスプレイの構成について説明する。図２１は、有機ＥＬ表示装置４１０の基本構成を示すブロック図である。有機ＥＬ表示装置４１０は映像ソース入力部４２０と、有機ＥＬ駆動回路４３０と、有機ＥＬパネル４６０から構成されている。
【０１５７】
有機ＥＬ駆動回路４３０は映像ソース入力部４２０から入力されたデジタル映像信号に対し各種処理を施す映像調整部４３２と、それら処理を施す際に計算を行うＭＰＵ（Micro Processing Unit）４３４と、処理が施された映像信号をアナログ信号に変換するＤＡＣ（Digital to Analog Converter）部４４２とを備え、ここでは図示しないが他に各種タイミング制御信号を生成する制御信号生成部や実際の処理を行う際のテーブルとして機能するメモリを備える。
【０１５８】
映像調整部４３２は明るさを調整するオフセット調整や、コントラストを調整するゲイン調整や、γ補正されている入力映像信号を、当該有機ＥＬパネルの電圧−発光輝度（Ｖ−Ｔ）特性に合わせる調整を行う。
【０１５９】
以上の構成による動作を簡単に説明する。映像ソース入力部４２０からＲＧＢの３種類のＲ、Ｇ、Ｂデジタル信号Ｒ＿ｉｎ、Ｇ＿ｉｎ、Ｂ＿ｉｎが映像調整部４３２に入力され、映像調整部４３２でオフセット調整やゲイン調整などの映像調整が行われ、ＤＡＣ部４４２でデジタル信号が３種類のＲ、Ｇ、Ｂアナログ信号Ｒ＿ｏｕｔ、Ｇ＿ｏｕｔ、Ｂ＿ｏｕｔとして有機ＥＬパネル４６０に出力される。
【０１６０】
これらの構成は、ハードウェア的には、任意のコンピュータのＣＰＵ、メモリ、その他のＬＳＩで実現でき、ソフトウェア的にはメモリにロードされた情報授受機能のあるプログラムなどによって実現できるが、ここではそれらの連携によって実現される機能ブロックを描いている。したがって、これらの機能ブロックがハードウェアのみ、ソフトウェアのみ、またそれらの組合せによっていろいろな形で実現できることは、当業者にとって理解できるところである。以上の前提技術をもとに実施の形態を以下に説明する。
【０１６１】
（具体例１）
具体例１では、表示画面の各ドットを構成するＯＬＥＤに設定される輝度をモニタし、その積算値が所定の条件となったとき表示画像の一部または全体をシフトし、各ドットに対応するＯＬＥＤに設定される輝度を平均化することで、ＯＬＥＤの劣化を平均化するものである。
【０１６２】
表示画像をシフトするときの、積算値の条件として、例えば（１）一定期間における輝度の積算値が所定の値を超えたとき、（２）隣接する画素どうしの輝度の差の積算値の絶対値が所定の値を超えたとき、（３）偶数列と奇数列の輝度の積算値を比較して、その積算値の差が所定の値を超えたときなどが想定できる。
【０１６３】
図２２は、縦横９×９画素のある表示エリアに「０」という文字が表示されており、それが右および下方向にそれぞれ１画素シフトした状態を示している。黒塗りで示されている文字がシフト前の文字であり、斜線で示されている文字がシフト後の文字である。
【０１６４】
図２３は、表示画像が１ドット単位でシフトした例を示している。図２３（ａ）は、シフト前の初期状態を、図２３（ｂ）は１ドット右にシフトした状態を、さらに図２３（ｃ）は２ドット右にシフトした状態を示している。初期状態では、画素を構成するドットの色の組合せは左からＲＧＢの順であるが、例えば１ドット右にシフトした状態では、組合せは左からＧＢＲの順となる。
【０１６５】
図２４は、表示画像を表示可能な有効表示エリアＡ１に対し、実際に表示される表示エリアＡ２を小さく設定している状態を示している。例えば表示エリアＡ２が縦横１００×１００画素から構成されている場合、有効表示エリアＡ１を縦横１０５×１０５画素で構成し、表示エリアＡ２は縦横に各５画素ずつシフト可能な領域を持ち、この範囲で表示画像全体がシフトする。
【０１６６】
図２５は、「ア」という文字が縦横８×８画素の領域に表示されている状態を示している。この領域の一番上の行と一番右の列の画素は、隣接する文字と接しないように余白領域として設定されている。この領域も文字をシフトする際の表示領域として利用される。複数の文字で文字列が構成されている場合、文字によっては、例えば１画素上にシフトしたり、右にシフトしたり、全くシフトしなかったりする。これにより表示品位を大きく損ねることなく、焼き付きを低減することができる。
【０１６７】
上述の表示画像のシフトは、所定の周期でなされてもよいが、ユーザが表示装置を操作していないときや表示画面が大きく変わるときに、表示画像をシフトすることでそのシフトをユーザに意識させないことができる。
【０１６８】
このシフトするタイミングとして、（１）表示装置のオンオフのときに、（２）表示装置が折畳式携帯電話のような開閉式の表示装置の場合、その開閉のとき、さらには、（３）アプリケーションの切り替えのとき、（４）ユーザからの操作が一定期間ないとき、（５）携帯電話において、そのキーボードなどの操作部がスライド式で開閉される場合、そのスライドにより操作部が引き出されたときまたは閉じられたときなどが想定される。
【０１６９】
図２６は、本具体例１の有機ＥＬ表示装置４１００の構成図を示す。基本構成は、図２１の前提技術で示した構成と同じであるので、特に本具体例に特徴的な構成を説明する。
【０１７０】
有機ＥＬ駆動回路４３０は、ＯＬＥＤに設定される輝度を取得し保持する輝度積算部４５２と、表示画像をシフトする上述の積算輝度に関する条件とどのようにシフトするかを保持するルックアップテーブル４５４と、上述のシフトするタイミングを保持するシフト条件テーブル４５６を備え、また映像調整部４３２は、表示画像のシフトさせて表示するための処理を行う画像シフト部４５０を含む。また、有機ＥＬ表示装置４１００は、表示画像をシフトするタイミングを検出するモード切替検出部４７０を含む。
【０１７１】
輝度積算部４５２は各ドットを構成するＯＬＥＤごとに、それに設定される輝度を積算しその積算値を保持する。映像ソース入力部４２０は、輝度積算部４５２に保持される積算輝度を参照して、具体例２〜４で示す表示画像のモザイク処理や色調変換を行う映像変更部４５８を含む。
【０１７２】
以上の構成による、表示画像のシフトに関する動作を説明する。モード切替検出部４７０が、アプリケーションの切り替えなど表示画像をシフトすべきタイミングを検出し、有機ＥＬ駆動回路４３０にそれを伝える。つづいて、ＭＰＵ４３４はシフト条件テーブル４５６を参照し、シフトすべきタイミングである場合、さらに輝度積算部４５２に保持されている積算輝度とルックアップテーブル４５４を参照し積算輝度が所定の条件となっていれば、画像シフト部４５０に対して表示画像をシフトするように指示する。
【０１７３】
以上、具体例１によれば、ＯＬＥＤに設定される輝度の積算値に応じて表示画像をシフトすることで、特定のＯＬＥＤの劣化を防ぐことができ、表示画面の焼き付きを防止できる。また、表示画面全体のＯＬＥＤの劣化の程度を平均化でき、輝度のムラの発生を低減できる。
【０１７４】
（具体例２）
具体例１では、所定の条件の下で表示画像は１ドット単位や１画素単位でシフトされた。具体例２では、ユーザからの操作終了後、所定の時間経過した場合、表示されている画像の一部を水平方向または垂直方向にスクロールさせたり、モザイク処理を施す。
【０１７５】
図２７（ａ）は、初期状態の表示画像を示しており白抜きの丸と黒塗りの三角の画像が表示されている。図２７（ｂ）は、丸と三角の二つの画像が水平方向にスクロールした状態を、図２７（ｃ）は垂直方向にスクロールした状態を示している。
【０１７６】
例えば、図２７（ｂ）の丸の図形がスクロールする領域Ａ３では、ＯＬＥＤの劣化はほぼ等しくなる。従って、水平方向と垂直方向のスクロールを組み合わせることで、表示画面全体の平均発光輝度を等しくすることができる。
【０１７７】
図２８は、表示画像が、モザイク処理をなされた状態を示している。この処理も、ユーザからの操作終了後、所定の時間経過したときになされる。図２８（ａ）は、初期状態の表示画像を示しており、図２８（ｂ）は、モザイク処理がなされた状態を示している。さらに、時間の経過とともにモザイク処理により生成されるブロックの大きさを変えることで、表示画面の焼き付きを低減できる。
【０１７８】
上述のスクロール処理およびモザイク処理は、具体例１の図２５に示した装置の構成で実現可能である。以上、具体例２によれば、具体例１と同様の効果が得られる。
【０１７９】
（具体例３）
具体例１および２では、表示画像をシフトすることでＯＬＥＤの劣化の平均化や焼き付きの低減を図った。具体例３では、各ドットに対応するＯＬＥＤに設定する信号を補正し、さらには表示画像の色調を調整することで、ＲＧＢの各色のＯＬＥＤの劣化の程度を平均化する。
【０１８０】
色調を調整する場合、単一の画素のみに着目して補正を行ってもよいし、また、例えば表示画像を縦横３×３画素ごとのブロックに分割し、そのブロックの中でバランスが取れるように補正する。また、そのブロックを時間の経過に従って変化させてもよい。
【０１８１】
また、補正前と補正後の表示画像の色調が大きく変わってしまう場合には、補正量を調整し、色調が大きく変わらないようにしてもよい。例えば、ＲＧＢの輝度比率がそれぞれ５０％で白く光っている場合、例えば、Ｒの輝度比率を４９％とし、ＧやＢの輝度比率を５１％で光らせるという補正がなされる。
【０１８２】
図２９は、一定のタイミングで表示色を変化させ、時間的なＲＧＢ各色の発光輝度を平均化させている模式図である。上段は、発光している色を示しており、下段は信号振幅を示している。これは、１画素単位で行われてもよいし、表示画面全体に対して行われてもよい。
【０１８３】
図２９（ａ）は、ＲＧＢの３色のうちＲだけを表示した状態を示しており、ＯＬＥＤに設定される信号振幅は、Ｒ以外は０となっている。この状態から一定期間経過後、例えば図２９（ｂ）に示すように、Ｇのみ発光させる。ここでは、ＲＧＢを個別に発光させているが、これに限る趣旨ではなく混色発光させてもよい。
【０１８４】
また、発光させる色を変化させるときに、図３０に示すようにＲＧＢの輝度比率を徐々に変化させてもよい。最初は図３０（ａ）のようにＲのみが発光しており、つづいて図３０（ｂ）に示すようにＲの信号振幅が小さくなるとともにＧも発光する。さらに時間の経過とともに、図３０（ｃ）に示すようにＲＧＢの３色が同じ信号振幅で発光する。
【０１８５】
上述の処理を実現するための装置の構成は、具体例１の図２６に示した構成により実現可能である。ただし、本具体例では、表示画像をシフトすることはないので、画像シフト部４５０は不要となる。
【０１８６】
図３１は、上述の色調変換の処理の手順を示すフローチャートである。ユーザの操作終了から一定時間経過後（Ｓ４１０のＹ）、または、一定時間経過していない場合（Ｓ４１０のＮ）は、モード切替えがあった場合（Ｓ４１２のＹ）、表示画面を構成するＯＬＥＤに設定された輝度の積算値を取得する（Ｓ４１４）。モード切替えがない場合（Ｓ４１２のＮ）、Ｓ４１０の処理へ戻る。
【０１８７】
つづいて、ＲＧＢに対応するＯＬＥＤの劣化の程度を考慮する場合（Ｓ４１６のＹ）、所定の劣化率を乗算し積算値を補正する（Ｓ４１８）。劣化率を考慮しない場合（Ｓ４１６のＮ）と、Ｓ４１８のステップにおいて補正がなされた後、輝度の積算結果を反転させ（Ｓ４２０）、積算値を表示画面で平坦化するような信号を出力し（Ｓ４２２）、設定された輝度に応じて反転された積算結果から減算し（Ｓ４２４）、輝度の積算値を更新する（Ｓ４２６）。更新した積算値が表示画面で平坦になれば（Ｓ４２８のＹ）、この色調変換処理は終了し、平坦でなければ（Ｓ４２８のＮ）、Ｓ４１４からＳ４２６のステップを繰り返す。
【０１８８】
Ｓ４２０とＳ４２４のステップにおいて、積算値を反転させて、設定された輝度の減じたが、これに限らず、積算値の最大値を求め、設定された輝度を加算して積算値が平坦になるように処理がなされてもよい。
【０１８９】
図３２は、ＯＬＥＤに設定された輝度の積算値に応じて、表示画像の補整を行う手順を示したフローチャートである。まず、輝度の積算値を取得し（Ｓ４５０）、ＲＧＢに対応するＯＬＥＤの劣化の程度を考慮する場合（Ｓ４５２のＹ）、所定の劣化率を乗算し積算値を補正する（Ｓ４５４）。
【０１９０】
劣化率を考慮しない場合（Ｓ４５２のＮ）と、Ｓ４５４のステップにおいて補正がなされた後、積算値が表示画面で平坦かどうか確認し、平坦であれば（Ｓ４５６のＹ）入力された信号をそのまま出力し（Ｓ４６２）、平坦でない場合（Ｓ４５６のＮ）、輝度ムラが発生しないように、各ＯＬＥＤに設定される輝度のゲインを調整し（Ｓ４５８）、補正された信号を出力する（Ｓ４６０）。
【０１９１】
Ｓ４６０またはＳ４６２のステップで信号が出力された後に、設定された輝度を反映させ積算値を更新する（Ｓ４６４）。つづいて、この補正処理を継続する場合、（Ｓ４６６のＹ）、Ｓ４５０からＳ４６４のステップを繰り返し、継続しない場合（Ｓ４６６のＮ）、補正処理を終了する。
【０１９２】
Ｓ４５８のステップにおいて信号を補正する際に、信号を乗算することでゲインの調整を行ったが、これに限らず、信号の加算や減算の処理を行ってもよい。以上、具体例３によれば、具体例１、２と同様の効果が得られるとともに、輝度のムラを考慮した表示画像の補正が可能となる。
【０１９３】
（具体例４）
本具体例では、壁紙として機能する背景画像を新たに設定するときに表示画面の各ドットのＯＬＥＤの劣化の程度に応じて、壁紙の色調変換を行う。この色調変換は、ＯＬＥＤの劣化による輝度ムラを解消するためになされてもよいし、ＯＬＥＤの劣化の程度を平均化するためになされてもよい。例えば、表示画面全体で、ＲのＯＬＥＤの劣化の程度が大きいと推定される場合、ほかのＧやＢの色の比率を上げて壁紙を設定する。
【０１９４】
本具体例を実現する装置も、具体例１の図２６に示した有機ＥＬ表示装置４１００で実現可能である。以上、具体例４によれば、具体例３と同様の効果が得られる。
【０１９５】
（具体例５）
本具体例では、表示画面が上中下に３分割されている携帯電話において、分割された領域それぞれで独立して表示画像がシフトされる。図３３は、携帯電話の表示画面を示した図である。表示画面は、上から順に第１領域Ｌ１、第２領域Ｌ２、および第３領域Ｌ３の３領域に分割されている。
【０１９６】
第１領域Ｌ１には、電池の残量を示す画像である電池マークＤＭが左側に、電波の強度を示す画像であるアンテナマークＡＭが右側に表示されている。多くの携帯電話において、電池マークＤＭとアンテナマークＡＭは、常時固定した位置に表示される。それによって、それら画像の焼き付きが発生してしまう恐れがある。例えば、電池マークＤＭの形状に焼き付きが発生すると、ユーザに対して電池残量が適正に示されない恐れが出てくる。そこで、電池マークＤＭとアンテナマークＡＭが第１領域Ｌ１のみをシフトするようにする。第１領域Ｌ１は横に細長いので、電池マークＤＭとアンテナマークＡＭのシフトの仕方として、横スクロールや、横スイングなどが例示される。横スクロールは、電池マークＤＭとアンテナマークＡＭが一定方向にシフトすることを示し、横スイングは、電池マークＤＭとアンテナマークＡＭが左右に任意の画素数だけゆっくり往復する。つまり、横スイングでは、電池マークＤＭとアンテナマークＡＭが揺れて表示される。
【０１９７】
このように、電池マークＤＭとアンテナマークＡＭは横方向だけにシフトするので、ユーザは、シフト中であっても、おおよそそれらの存在位置を予測でき、それほど視認性が悪化しない。同様に、第３領域Ｌ３に表示されている画像も視認性を維持しながら第３領域Ｌ３の領域内でシフトする。真ん中の第２領域Ｌ２に表示されている自動車の画像（以下、単に「自動車画像」という）ＴＭは、ここでは背景画像でありユーザの視認性が要求されていないので、縦または横の任意の方向にスクロールする。
【０１９８】
図３４は、図３３に示した表示画面に表示された画像がシフトする様子を示している。第１領域Ｌ１に表示されている電池マークＤＭとアンテナマークＡＭは、それぞれ右方向および左方向へスクロールしている。また、第３領域Ｌ３に表示されている画像は全て、右方向へスクロールしている。また、中央の第２領域Ｌ２に表示されている自動車画像ＴＭは、一旦下方へ移動し、その後右斜下方へ移動している。
【０１９９】
分割された領域ごとに表示画像をシフトするための携帯電話の構成を示す。図３５は、本具体例に係る携帯電話４２００の構成を示す図である。携帯電話４２００はＭＰＵ４３４と、グラフィックスメモリ４７４と、タイミング制御ＩＣ（Integrated Circuit）４７６と、フラッシュメモリ４７２および有機ＥＬパネル４６０を備える。さらに、携帯電話４２００は、アンテナ４６８と、スピーカ４６２と、送受信部４６４と、マイク４６６を備える。
【０２００】
フラッシュメモリ４７２は、携帯電話４２００の電源がオフのときに保持すべきデータを格納する。グラフィックスメモリ４７４は、有機ＥＬパネル４６０に表示する画像データを格納する。グラフィックスメモリ４７４には、ＭＰＵ４３４から画像データとその画像データの書込位置の制御を受け、画像データが書き込まれる。また、タイミング制御ＩＣ４７６からディスプレイ表示に同期した読み出し制御信号が入力され、それに応じて画像を出力する。
【０２０１】
タイミング制御ＩＣ４７６は、有機ＥＬパネル４６０の走査タイミングに同期して、グラフィックスメモリ４７４に読出制御信号を与えて画像データを読み出すとともに、有機ＥＬパネル４６０に読み出した画像データと駆動信号を供給し、表示画像を有機ＥＬパネル４６０上に表示させる。また、タイミング制御ＩＣ４７６は図３３に示した第２領域Ｌ２に表示される自動車画像ＴＭの垂直方向開始位置ＶＳ、垂直方向終了位置ＶＥ、水平方向開始位置ＨＳ、および水平方向終了位置ＨＥを検出する。
【０２０２】
図３６は、有機ＥＬパネル４６０に表示されるスクロールしない表示画像とメモリ空間との対応関係を示した図である。有機ＥＬパネル４６０の表示領域は、縦横１９９×９９画素から構成されている。この画像の左上がメモリ空間上のアドレス（０、０）に対応し、右下がアドレス（１９９、９９）に対応する。
【０２０３】
ＭＰＵ４３４が行うグラフィックスメモリ４７４への画像データの書込は、図３６に示されるように、表示画像とメモリ空間との対応が１対１になるアドレスに対して行われる。有機ＥＬパネル４６０に対する画像のスクロールは、タイミング制御ＩＣ４７６が、グラフィックスメモリ４７４から画像データの読み出しタイミングを変えことにより行われる。また、スクロールの方法に関しては、第１領域Ｌ１、第２領域Ｌ２、および第３領域Ｌ３それぞれ異なる処理がなされる。ただし、第１領域Ｌ１および第３領域Ｌ３のスクロールの方法は同じでもよい。
【０２０４】
図３７をもとに、タイミング制御ＩＣ４７６によるによる画像データの読み出しについて説明する。上段が、メモリ空間を示しており、下段が表示画像を示している。図３７（ａ）は、スクロールがない場合の、メモリ空間に書き込まれている画像データの読み出し手順を示している。メモリ空間に書き込まれている画像データは、図３７（ａ）、図３７（ｂ）ともに同じである。
【０２０５】
スクロールがない場合の画像データの読み出しは、アドレス（０、０）Ｓ１から順次水平方向に向かって行われ、アドレス（０、９９）の画像データまで読み出されると、１行下に移り、アドレス（１、０）の画像データが読み出される。同様にして、アドレス（１９９、９９）Ｅ１の画像データまで順次が読み出される。
【０２０６】
一方、図３７（ｂ）は、スクロールがある場合の画像データの読み出し手順を示している。本図では、第１領域Ｌ１と第３領域Ｌ３では表示画像は水平方向にのみスクロールしており、５０画素右方向にシフトしている。また、第２領域Ｌ２の領域では、表示画像は、水平方向のみでなく垂直方向にもスクロールしている。
【０２０７】
画像データの読み込みは、アドレス（０、５０）Ｓ２から開始され、順次画像データが読み出され、アドレス（０、９９）の画像データが読み出されると、その行の先頭にもどりアドレス（０、０）からアドレス（０、４９）の画像データが読み出される。次に、下段のアドレス（１、５０）の画像データが読み出され、同様に順次その行の画像データが読み出される。
【０２０８】
次に、第１領域Ｌ１の画像データの読み込みが終了し、第２領域Ｌ２の画像データの読み込みが開始される。第２領域Ｌ２の領域には、自動車画像ＴＭの左上隅の点ＧＳから表示されているので、その点に対応するアドレスの画像データから読み出される。そのアドレスを便宜的に画像開始アドレスＭ１と言う。アドレスＭ１の画像データから読み出される。第２領域Ｌ２の最下段の行まで画像データが読み込まれると、第２領域Ｌ２の最上段の画像データが読み込まれ、アドレスＭ１の直前のアドレスまで画像データが読み込まれると、第２領域Ｌ２の画像データが全て読み込み終了となる。
【０２０９】
つづいて、第３領域Ｌ３の画像データの読み込みが開始される。第３領域Ｌ３の表示画像も第１領域Ｌ１の表示画像と同様、水平方向に５０画素左にシフトしている。従って、アドレスが水平方向へ５０移動した画像データから読み出しが開始され、第１領域Ｌ１の画像データの読み込み同様に、第３領域Ｌ３の画像データの読み込みが行われる。
【０２１０】
第２領域Ｌ２において、スクロールを行う場合、表示画像の大きさと呈示位置が既知であれば、その表示画像を有機ＥＬパネル４６０からはみ出さないように呈示することが可能である。グラフィックスメモリ４７４に対しては、ＭＰＵ４３４が画像データを書き込んでいるので、画像の開始位置ＧＳのアドレスと、画像の終了位置ＧＥのアドレスは、ＭＰＵ４３４によって把握されている。このため、ＭＰＵ４３４は画像が有機ＥＬパネル４６０からはみださないように、第２領域Ｌ２における読み出し開始アドレスを設定し、かつそのアドレスを時間方向に変化させることで、表示画像のスクロールが実現される。
【０２１１】
一方、ＭＰＵ４３４が表示画像の大きさとその呈示位置を管理していない場合、タイミング制御ＩＣ４７６が表示画像の画像開始位置ＧＳと画像終了位置ＧＥを検出することで表示画像の大きさと呈示位置管理する。
【０２１２】
ＭＰＵ４３４は、前回の表示画像から、修正分だけ逐次グラフィックスメモリ４７４に対して必要な画像データを書き込む。このため、第２領域Ｌ２の画像開始位置ＧＳと画像終了位置ＧＥを管理できない可能性がある。しかし、タイミング制御ＩＣ４７６が画像データをメモリから読み出す際に、第２領域Ｌ２の画像開始位置ＧＳ、画像終了位置ＧＥは検出可能である。検出した画像開始位置ＧＳと画像終了位置ＧＥをＭＰＵ４３４に渡すことで、ＭＰＵ４３４が画像の呈示位置を管理でき、かつタイミング制御ＩＣ４７６に対して第２領域Ｌ２の読み出し開始アドレスを設定することで、画像のはみ出しのないスクロールが実現される。
【０２１３】
タイミング制御ＩＣ４７６による第２領域Ｌ２の画像開始位置ＧＳおよび画像終了位置ＧＥの検出手順を説明する。前提として、無映像領域は、単一色とする。第２領域Ｌ２のアドレス空間は既知であるので、第２領域Ｌ２に相当するアドレスに対する画像データに対して、無映像でない色のデータが出力されると、最小と最大の水平方向アドレスおよび垂直方向アドレスをタイミング制御ＩＣ４７６が毎フレーム検出を行う。検出されたアドレスが第２領域Ｌ２における画像開始位置ＧＳと画像終了位置ＧＥとなる。ここで無映像領域とは、第２領域Ｌ２のうち、自動車画像ＴＭ以外の領域を指す。
【０２１４】
以上、具体例５によれば、携帯電話の表示画面に表示される画像を、分割した領域によって独立してシフトさせることで、ユーザの視認性を悪化せずに焼き付きの発生が抑制される。
【０２１５】
以上の実施の形態は例示であり、それら各構成要素や各処理プロセスの組合せにいろいろな変形例が可能なこと、またそうした変形例も本発明の範囲であることは当業者に理解されるところである。そうした変形例を挙げる。
【０２１６】
本実施の形態では、表示画像のシフトを行う画像シフト部４５０を映像調整部４３２に設けて行ったが、これに限らず、映像ソース入力部４２０に設けて有機ＥＬ駆動回路４３０に入力される表示画像を変更してもよい。
【０２１７】
本実施の形態では、表示画像をシフトする際の、輝度の積算値の条件を上述の３種類としたが、これに限る趣旨ではない。例えば、その時点まで偶数と奇数の列の光学素子に設定された輝度の差分を積算する。次に表示しようとしている画像の偶数と奇数の列のＯＬＥＤに設定される輝度の差分を積算する。ここで、それぞれ積算結果を正負で判断してＯＬＥＤの劣化が均一となるように表示画像を変更する。また、その時点まで偶数と奇数の列のＯＬＥＤに設定された輝度を積算する。次に表示しようとしている画像の偶数と奇数の列のＯＬＥＤに設定される輝度を積算する。その後、それぞれ積算結果を大小で判断してＯＬＥＤの劣化が均一となるように表示画像を変更する。ここで、偶数列と奇数列のＯＬＥＤに設定される輝度を比較したが、偶数行と奇数行のＯＬＥＤに設定される輝度を比較してもよい。
【０２１８】
（第４の実施の形態の効果）
本実施の形態によれば、表示装置の表示品位の悪化を抑制できる。特に、一画面における輝度のムラや、ホワイトバランスのずれを改善できる。また、別の観点では、画面の焼き付きを防止できる。
【０２１９】
［第５の実施の形態］
（第５の実施の形態の属する技術分野）
本実施の形態は表示装置に関し、特に表示装置の表示品位を改善する技術に関する。
【０２２０】
（第５の実施の形態における従来の技術）
ノート型パーソナルコンピュータや携帯端末の普及が進んでいる。現在、主に液晶ディスプレイが、それらの表示装置に使用されており、有機ＥＬ（Electro Luminescence）ディスプレイが次世代平面表示パネルとして期待されている。液晶ディスプレイはその視野角の狭さや、応答速度の遅さが依然として課題として残っている。一方、有機ＥＬディスプレイは、上述の課題を克服するとともに、高輝度、高効率が達成できる。
【０２２１】
（第５の実施の形態が解決しようとする課題）
しかし、有機ＥＬディスプレイは、その特性上光学素子の経時変化すなわち劣化が避けられず、製造時にはホワイトバランスが調整されていても、継続的な使用によってホワイトバランスが崩れたり、輝度のムラができたりする。有機ＥＬディスプレイは、光学素子の劣化が液晶ディスプレイに比べて顕著であることが知られており、製品の品質面から大きな問題であることが認識されている。
【０２２２】
特に、携帯電話に備えられた有機ＥＬディスプレイにおいては、特定の文字または文字列が特定の場所に継続して表示されることが多い。以下、文字および文字列をまとめて、単に「文字列」ともいう。そのような文字列は、一般にユーザの視認性を考慮して、背景画像などの周辺の色とはっきり区別できるよう設定されている。したがって、文字列が表示される領域の光学素子と周囲の光学素子との間に劣化の進行に関して顕著な差が現れやすい。
【０２２３】
また、電子メールなど文章に含まれる文字列が表示されるときには、表示画面の上方から文字列が表示されるため、表示画面の上方と下方では光学素子の劣化の進行が異なる。これにより、輝度ムラが発生する。
【０２２４】
本実施の形態の目的は上述の輝度のムラによる表示品位の低下を改善するものである。また、別の目的は、輝度のムラが集中することによる表示画像の焼き付きを防止することにある。
【０２２５】
（第５の実施の形態における課題を解決するための手段）
本実施の形態のある態様は、表示装置に関する。この表示装置は、光学素子を備える表示装置において、各光学素子の劣化の推定量が平均化されるよう表示装置に表示されるテキストデータの表示形式を変更する表示変更部を含み、表示変更部は、表示装置の電源がオンまたはオフされたとき、その処理の過程においてテキストデータの表示形式を変更する。ここで、テキストデータとは、文字列を指す。
【０２２６】
ここで、表示装置とは、表示画面を備える装置を指し、例えば、携帯電話やＰＤＡ（Personal Digital Assistants）、パーソナルコンピュータなどが想定される。例えば、有機ＥＬディスプレイにおいては、その光学素子である有機発光ダイオード（Organic Light Emitting Diode：以下単に「ＯＬＥＤ」という）は、上述の通り経時変化により劣化が起き、その原因は通電される電流によると考えられている。
【０２２７】
前述のように携帯電話の表示画面では、特定の位置に特定の文字列が表示されていることが多く焼き付きの原因にもなる。したがって、表示される文字列の呈示位置、輝度、色調などを変更することでＯＬＥＤの劣化の平均化が実現できる。また、ここで平均化とは、概ね平均的でありユーザが輝度のムラが認識できない程度であればよい。
【０２２８】
またさらに、有機ＥＬディスプレイにおいてカラー表示をする場合、Ｒ（赤）Ｇ（緑）Ｂ（青）各色ごとにＯＬＥＤの材料が異なり、その劣化の進行速度が異なる。それにより、表示装置の使用とともに、例えば表示画像が緑がかって表示されるといった症状が現れるときもある。したがって、ＲＧＢ各色のＯＬＥＤの劣化の程度を平均化する必要がある。
【０２２９】
ユーザが表示装置を利用していないときに、テキストデータの表示形式が変更されることで、ユーザにその変更を意識させないことが可能となる。また、テキストデータの形式とは、フォントの種類、大きさ、色、明るさなどが例示される。またさらに、表示されるテキストデータの背景色やその明るさが変更されてもよい。
【０２３０】
本実施の形態の別の態様も、表示装置に関する。この表示装置は、光学素子を備える表示装置において、各光学素子の劣化の推定量が平均化されるよう表示装置に表示されるテキストデータの表示形式を変更する表示変更部を含み、表示変更部は、表示装置に表示されるアプリケーションが切り替わるとき、その切替えの過程においてテキストデータの表示形式を変更する。ここで、アプリケーションの切替えとは、例えば、携帯電話において表示画面に表示されているアプリケーションがウェブブラウザから電子メールソフトに切り替わることが例示される。また、あるアプリケーションが実行され表示されている場合であっても、そのアプリケーションを表示するフレームが別のフレームに切り替わるときなどもアプリケーションの切替えに含まれる。例えば、ウェブブラウザが表示されている場合であれば、ホームページなどのコンテンツを表示するフレームが切り替わるときが例示される。また、電子メールソフトが表示されている場合であれば、受信した電子メールを選択する画面から実際に選択された電子メールを表示する画面へ切り替わるときなどが例示される。
【０２３１】
本実施の形態の別の態様も、表示装置に関する。この表示装置は、光学素子を備える表示装置において、各光学素子の劣化の推定量が平均化されるよう表示装置に表示されるテキストデータの表示形式を変更する表示変更部を含み、表示変更部は、電子メールを表示するときに電子メール毎にテキストデータの表示形式を変更する。つまり、受信した電子メールが表示されるときや作成および編集中の電子メールが表示されるときに、表示される電子メールによってテキストデータの表示形式が変更される。
【０２３２】
本実施の形態の別の態様も、表示装置に関する。この表示装置は、開閉式の表示画面を有し光学素子を備える表示装置であって、各光学素子の劣化の推定量が平均化されるよう表示装置に表示されるテキストデータの表示形式を変更する表示変更部を含み、表示装置の表示画面は開閉式であって、その表示画面の開閉を検知する開閉検知部をさらに含み、表示変更部は、開閉検知部にて表示画面の開閉が検知された場合、テキストデータの表示形式を変更する。
【０２３３】
本実施の形態の別の態様も、表示装置に関する。この表示装置は、光学素子を備える表示装置であって、各光学素子の劣化の推定量が平均化されるよう表示装置に表示されるテキストデータの表示形式を変更する表示変更部を含み、その表示変更部は、テキストデータの入力のため表示装置が備える文字入力手段が操作されている間、テキストデータの表示形式を変更する。上述のようなテキストデータの表示形式の変更に限らず、他にフォントの色と背景色が反転されたり、その反転の際にそれらの色の明るさが光学素子の劣化の推定量に応じて調整されてもよい。
【０２３４】
本実施の形態の別の態様も、表示装置に関する。この表示装置は、光学素子を備える表示装置において、各光学素子の劣化の推定量が平均化されるよう表示装置に表示されるテキストデータの表示形式を変更する表示変更部を含み、表示変更部は、電子メールを表示する際に、その電子メールが既読または未読によって表示すべきテキストデータの表示形式を変更する。例えば、受信した電子メールを表示する際に、未読と既読の電子メールのフォントの種類や大きさが異なるものにされる。
【０２３５】
本実施の形態の別の態様も、表示装置に関する。この表示装置は、光学素子を備える表示装置において、各光学素子の劣化の推定量が平均化されるよう表示装置に表示されるテキストデータの表示形式を変更する表示変更部を含み、表示変更部は、電子メールを表示する際に、表示すべきテキストデータの大きさに応じてテキストデータの表示形式を変更する。例えば、テキストデータの大きさが１０文字であれば、フォントの大きさが大きくされ、１００文字のテキストデータの大きさであれば、フォントの大きさが小さくされる。
【０２３６】
また、表示変更部は、テキストデータのフォント形式を変更することによりテキストデータの表示形式を変更してもよい。また、表示変更部は、本来文字同士が接触した形で表示されることを避けるために設けられている余白領域を利用する形にテキストデータに含まれる任意の文字のシフトしてもよい。
【０２３７】
一般に、フォントはもともと表示領域の一方のラインに隣のフォントと接触しないように利用されない余白領域を有する。例えば縦横８×８画素のフォントの場合、実際には縦横７×７画素しか利用されていないので、本来利用されていない縦横それぞれ１画素ラインもフォントの表示領域として利用されてもよい。
【０２３８】
本実施の形態の別の態様も、表示装置に関する。この表示装置は、光学素子を備える表示装置において、各光学素子の劣化の推定量が平均化されるよう表示装置に表示されるテキストデータの表示形式を変更する表示変更部を含み、表示変更部は、テキストデータを入力するアプリケーションが起動している際に、テキストデータが入力されていない行の背景色を、テキストデータの表示色と、本来の背景色との中間色としてもよい。
【０２３９】
本実施の形態の別の態様も、表示装置に関する。この表示装置は、光学素子を備える表示装置において、各光学素子の劣化の推定量が平均化されるよう表示装置に表示されるテキストデータの表示形式を変更する表示変更部を含み、表示変更部は、テキストデータが表示される位置によって、テキストデータを表示する際の輝度を変更する。
【０２４０】
なお、以上の構成要素の任意の組合せや組み替え、本発明を方法、コンピュータプログラムなどと表現したものもまた、本実施の形態の態様として有効である。
【０２４１】
（第５の実施の形態の具体例）
本実施の形態は、表示装置として表示画面に有機ＥＬディスプレイを備える携帯電話を想定する。この携帯電話に表示される文字列の表示形式が変更されることで、有機ＥＬディスプレイの焼き付きが抑制される。特に、ユーザがこの携帯電話を用いて電子メールの読み書きを行う際に、表示される文字列のフォントの大きさや種類、色が変更される。また、携帯電話の電源をオンまたはオフするときに、表示に使用されるフォント形式が変更される。
【０２４２】
図３８は、焼き付きが発生した表示画面を示している。図３８（ａ）の表示画面には、領域Ａに「ＡＢＣＤ」の４文字が表示されている。これらの文字が、この領域Ａに長時間表示されると、図３８（ｂ）に示されるように、全体が同一色であるベタ画像が表示されると、実際には表示されていない「ＡＢＣＤ」の４文字が表示されているかの如く見える。つまり、領域Ａには焼き付きが発生する。
【０２４３】
携帯電話の表示画面に文字列が表示される場合、その文字列は一般に同一の箇所に表示されることが多い。さらに、文字列の表示は、表示画面左上から表示されることが多く、表示画面の下の領域に表示されることが少ない。そこで、表示画面に表示される文字のフォントの形式を変更したり、表示画面の領域により画面の輝度を変更する。
【０２４４】
文字列の表示形式が変更される条件として、（１）表示装置の電源がオンまたはオフされたとき、（２）表示装置が折畳式携帯電話のような開閉式の表示装置の場合、その開閉のとき、（３）アプリケーションの切り替えのとき、（４）特定のアプリケーションが実行されるとき、ここでは電子メールのアプリケーションが実行されるとき、（５）ユーザからの操作が一定期間ないときなどが例示される。さらに、電子メールのアプリケーションが実行されるときは、電子メールが未読かどうかや、電子メールに含まれる文字数によって使用される表示形式が変更される。
【０２４５】
図３９は、二つの表示画面において、それぞれ異なるフォントの種類で文字列が表示されている状態を示している。図３９（ａ）に表示されているフォントと比べ、図３９（ｂ）に表示されているフォントは、全体的に細く、傾斜している。また、図３９（ａ）では、４行目に文字列が５文字表示されており、一方、図３９（ｂ）では４行目には文字列が１文字のみ表示されている。このように、フォントが変更されると、文字が表示される領域が違ってくる。つまり、フォントの種類を変更することで表示画面の焼き付きが抑制される。
【０２４６】
図４０は、表示画面に表示される文字数が異なるときに、使用されるフォントの大きさが変更された状態が示された図である。図４０（ａ）は、アルファベットの「Ａ」から「Ｚ」まで、大文字および小文字あわせて計５２文字表示されている。一方、図４０（ｂ）は「Ａ」から「Ｚ」まで、大文字だけ計２６文字表示されている。図４０（ｂ）では、文字数が少なくなっており、図４０（ａ）に表示されているフォントと同じ大きさのフォントが使用されると、表示画面の概ね半分にしか文字列が表示されない。そこで、フォントのサイズを大きくすることで、表示画面全体に文字列が表示されるようにする。一般に、文章などを表示する場合、表示画面の左上より文字列が表示され、表示画面の下の方まで文字列が表示されないことが多い。そこで、フォントの大きさを変更することで表示画面全体にテキストデータが表示されるようにし、表示画面の一部だけが頻繁に使用されることを抑制し、表示画面の焼き付きを抑制する。
【０２４７】
図４１は、文字列が表示されていない領域の色が、背景色から行毎に徐々に文字列と同一の表示色に変化している状態を示している。上から４行目までは文字列が表示されており、一方、５〜７行目は文字列が表示されておらず、行毎に階調を徐々に変化させ極端な色の変化が抑えられている。当然、文字列が表示されていない行を全て同一の色、例えば文字の色と背景の色との中間色で表示してもよい。
【０２４８】
図４２は、「ア」という文字が縦横８×８画素の領域に表示されている状態を示している。この領域の一番上の行と一番右の列の画素は、隣接する文字と接しないように余白領域として設定されている。この領域も文字をシフトする際の表示領域として利用される。図４２（ａ）は、文字がシフトされる前の状態であり、図４２（ｂ）は文字列が右方および上方にそれぞれ１画素シフトした状態を示している。複数の文字で文字列が構成されている場合、文字によっては、例えば１画素上にシフトしたり、右にシフトしたり、全くシフトしなかったりする。これにより表示品位を大きく損ねることなく、焼き付きを低減することができる。
【０２４９】
以下に、上述の文字列の表示形式の変更を実現するための装置およびその動作を示す。図４３は、本実施の形態に係る有機ＥＬ表示装置５１０の基本構成を示すブロック図である。有機ＥＬ表示装置５１０は映像ソース入力部５２０と、電子メール属性取得部５２４と、開閉検知部５５２と、操作検知部５５４と、有機ＥＬ駆動回路５３０と、有機ＥＬパネル５６０から構成されている。
【０２５０】
有機ＥＬ駆動回路５３０は映像ソース入力部５２０から入力されたデジタル映像信号に対し各種処理を施す映像調整部５３２と、それら処理を施す際に計算を行うＭＰＵ（Micro Processing Unit）５３４と、処理が施された映像信号をアナログ信号に変換するＤＡＣ（Digital to Analog Converter）部５４２とを備える。さらに、有機ＥＬ駆動回路５３０は、テキスト検出部５３８と、輝度変更部５４４と、色調変更部５４６と、ここでは図示しないが他に各種タイミング制御信号を生成する制御信号生成部や実際の処理を行う際のテーブルとして機能するメモリを備える。
【０２５１】
映像調整部５３２は明るさを調整するオフセット調整や、コントラストを調整するゲイン調整や、γ補正されている入力映像信号を、当該有機ＥＬパネルの電圧−発光輝度（Ｖ−Ｔ）特性に合わせる調整を行う。
【０２５２】
文字列の表示形式が変更されないときは、映像ソース入力部５２０からＲＧＢの３種類のＲ、Ｇ、Ｂデジタル信号Ｒ＿ｉｎ、Ｇ＿ｉｎ、Ｂ＿ｉｎが映像調整部５３２に入力され、映像調整部５３２でオフセット調整やゲイン調整などの映像調整が行われる。映像調整が行われた後、ＤＡＣ部５４２でデジタル信号が３種類のＲ、Ｇ、Ｂアナログ信号Ｒ＿ｏｕｔ、Ｇ＿ｏｕｔ、Ｂ＿ｏｕｔとして有機ＥＬパネル５６０に出力される。
【０２５３】
文字列の表示形式が変更されるときは、以下の示す構成によりその変更がなされる。映像調整部５３２は、図４２に示したようにフォントを構成する画素の中で本来使用されない領域を使用するよう文字をシフトするテキストシフト部５３６を備える。
【０２５４】
テキスト検出部５３８は、入力されたデジタル映像信号から文字列を検出する。さらに、テキスト検出部５３８は、ＭＰＵ５３４との協働により、図３９、４０に示したように検出した文字列の表示形式を変更する。輝度変更部５４４は、文字列を表示する際の輝度をその呈示位置に応じて変更したり、図４１に示したように文字列が入力されていない領域の輝度を変更する。また同様に、色調変更部５４６は、文字列を表示する際の色を変更したり、図４１に示したように文字列が入力されていない領域の色を変更する。
【０２５５】
電子メール属性取得部５２４は、電子メールのアプリケーションが実行されているときに、電子メール１通毎にその属性を取得する。属性として、（１）その電子メールが未読かどうかや、（２）電子メールに含まれる文字数などが例示される。
【０２５６】
映像ソース入力部５２０は、さらにテキスト形式変更部５２２を備え、電子メール属性取得部５２４で取得された属性に基づき、電子メールに表示される文字列の表示形式を変更する。表示形式の変更は、テキスト検出部５３８においても行われたが、ここでは、有機ＥＬ駆動回路５３０にデジタル映像信号が入力される前に行われる。また、電子メール属性取得部５２４により取得された電子メールに基づき、テキスト検出部５３８が文字列の表示形式を変更してもよい。
【０２５７】
開閉検知部５５２は、携帯電話の表示画面が折り畳み式である場合、その開閉を検知し、その携帯電話が使用する文字列の表示形式を変更するようにＭＰＵ５３４に対して通知する。操作検知部５５４は、携帯電話に対する操作が一定期間無い場合、その携帯電話が使用する文字列の表示形式を変更するようにＭＰＵ５３４に対して通知する。
【０２５８】
これらの構成は、ハードウェア的には、任意のコンピュータのＣＰＵ、メモリ、その他のＬＳＩで実現でき、ソフトウェア的にはメモリにロードされた情報授受機能のあるプログラムなどによって実現できるが、ここではそれらの連携によって実現される機能ブロックを描いている。したがって、これらの機能ブロックがハードウェアのみ、ソフトウェアのみ、またそれらの組合せによっていろいろな形で実現できることは、当業者にとって理解できるところである。以上の前提技術をもとに実施の形態を以下に説明する。
【０２５９】
以上、実施の形態によれば、文字列の表示形式を変更したり、文字列が表示されているか否かで表示画面の背景色を変更したりすることで、表示画面の輝度ムラの発生が抑制される。また、輝度ムラが集中することによる表示画面の焼き付きが抑制できる。
【０２６０】
以上の実施の形態は例示であり、それら各構成要素や各処理プロセスの組合せにいろいろな変形例が可能なこと、またそうした変形例も本発明の範囲であることは当業者に理解されるところである。
【０２６１】
（第５の実施の形態の効果）
本実施の形態によれば、輝度のムラによる表示品位の低下の抑制が期待できる。また、別の観点では、輝度のムラが集中することによる表示画像の焼き付きの抑制が期待できる。
【図面の簡単な説明】
【０２６２】
【図１】第１の実施の形態の具体例１に係る携帯端末の内部構成を示す図である。
【図２】表示ユニットの表示可能領域の中央に表示領域が設定され、画像が表示された様子を示す図である。
【図３】非表示領域に一般的な画像の平均輝度データを設定した様子を示す図である。
【図４】表示ユニットの１画素分の回路構成を示す図である。
【図５】第１の実施の形態の具体例３に係る携帯端末の内部構成を示す図である。
【図６】累積平均輝度保持部の内部データの例を示す図である。
【図７】実施の形態２に係る携帯電話機の構成を表わすブロック図である。
【図８】黒文字表示モードと白文字表示モードを説明する図である。
【図９】モード切替え手続きの一例を表わすフローチャートである。
【図１０】モード切替え手続きの他の例を表わすフローチャートである。
【図１１】有機ＥＬディスプレイの基本的な構成を示す図である。
【図１２】アクティブマトリクス駆動型の有機ＥＬディスプレイにおける１つの画素の回路図である。
【図１３】携帯型電話機の概略構成を示すブロック図である。
【図１４】電池残量ピクト表示に使用される５段階のピクトを示す模式図である。
【図１５】電池残量ピクトにおいて、右端のバーの表示輝度を最も低く設定し、左端のバーの表示輝度を最も高く設定し、中央のバーの表示輝度をそれらの中間値に設定した場合の初期の表示例を示す模式図である。
【図１６】電池残量ピクトにおいて、点灯される確率の高い右端のバーの表示輝度の経時的変化（実線）と点灯される確率の低い左端のバーの表示輝度の経時的変化（破線）を示すグラフである。
【図１７】アンテナピクト表示に使用される５段階のピクトを示す模式図である。
【図１８】アンテナピクトにおいて、左端のバーの表示輝度を最も低く設定し、右端のバーの表示輝度を最も高く設定し、中央のバーの表示輝度をそれらの中間値に設定した場合の初期の表示例を示す模式図である。
【図１９】電池残量ピクトにおいて、第１ピクト（バー表示）を構成するドットと、第２ピクト（充電の文字表示）を構成するドットを示す模式図である。
【図２０】カラー有機ＥＬディスプレイの上部に表示されうる複数のピクトを示す模式図である。
【図２１】有機ＥＬ表示装置の基本構成図である。
【図２２】文字がシフトされて表示された状態を示した図である。
【図２３】画像のシフトの方法とシフトされたときの画素を構成するドットの変化を示した図である。
【図２４】表示エリアと有効表示エリアの関係を示した図である。
【図２５】１フォントの表示領域を示した図である。
【図２６】実施の形態に係る有機ＥＬ表示装置の構成図である。
【図２７】表示画像をスクロールさせた状態を示した図である。
【図２８】表示画像をモザイク処理した状態を示した図である。
【図２９】一定タイミングで表示画像の表示色を変化させた状態を示した図である。
【図３０】表示画像の表示色を変化させる際にＲＧＢの輝度比率を徐々に変化させる状態を示した図である。
【図３１】ＯＬＥＤの劣化の程度を平均化するために表示色を変更する手順を示したフローチャートである。
【図３２】ＯＬＥＤの劣化の程度に応じて表示画像に対して補正を行う際の処理手順を示したフローチャートである。
【図３３】表示領域が上中下の３領域に分割されている携帯電話の表示画面を示した図である。
【図３４】表示画像のシフトの様子を示した図である。
【図３５】実施の形態に係る有機ＥＬ表示装置である携帯電話の構成図である。
【図３６】有機ＥＬパネルに表示されるスクロールしない表示画像とメモリ空間との対応関係を示した図である。
【図３７】タイミング制御ＩＣによるによる画像データの読み出し手順を示した図である。
【図３８】焼き付きが発生している表示画面の示した図である。
【図３９】それぞれ異なる２種類のフォントで文字列が表示されている表示画面を示した図である。
【図４０】大小２種類のフォントの大きさで文字列が表示されている表示画面を示した図である。
【図４１】文字列が表示されていない領域の色が、背景色から行毎に徐々に文字列の表示色に変化している状態を示した図である。
【図４２】１フォントを形成する画素領域ないで文字をシフトした状態を示した図である。
【図４３】実施の形態に係る有機ＥＬ表示装置の構成図である。
【符号の説明】
【０２６３】
４２０  映像ソース入力部、４３０  有機ＥＬ駆動回路、４３２  映像調整部、４５０  画像シフト部、４５２  輝度積算部、４５４  ルックアップテーブル、４５６  シフト条件テーブル、４５８  映像変更部、４６０  有機ＥＬパネル、４７０  モード切替検出部。
【図１】
2008197675.tif 000003
【図２】
2008197675.tif 000004
【図３】
2008197675.tif 000005
【図４】
2008197675.tif 000006
【図５】
2008197675.tif 000007
【図６】
2008197675.tif 000008
【図７】
2008197675.tif 000009
【図８】
2008197675.tif 000010
【図９】
2008197675.tif 000011
【図１０】
2008197675.tif 000012
【図１１】
2008197675.tif 000013
【図１２】
2008197675.tif 000014
【図１３】
2008197675.tif 000015
【図１４】
2008197675.tif 000016
【図１５】
2008197675.tif 000017
【図１６】
2008197675.tif 000018
【図１７】
2008197675.tif 000019
【図１８】
2008197675.tif 000020
【図１９】
2008197675.tif 000021
【図２０】
2008197675.tif 000022
【図２１】
2008197675.tif 000023
【図２２】
2008197675.tif 000024
【図２３】
2008197675.tif 000025
【図２４】
2008197675.tif 000026
【図２５】
2008197675.tif 000027
【図２６】
2008197675.tif 000028
【図２７】
2008197675.tif 000029
【図２８】
2008197675.tif 000030
【図２９】
2008197675.tif 000031
【図３０】
2008197675.tif 000032
【図３１】
2008197675.tif 000033
【図３２】
2008197675.tif 000034
【図３３】
2008197675.tif 000035
【図３４】
2008197675.tif 000036
【図３５】
2008197675.tif 000037
【図３６】
2008197675.tif 000038
【図３７】
2008197675.tif 000039
【図３８】
2008197675.tif 000040
【図３９】
2008197675.tif 000041
【図４０】
2008197675.tif 000042
【図４１】
2008197675.tif 000043
【図４２】
2008197675.tif 000044
【図４３】
2008197675.tif 000045